(57)【要約】【課題】情報提供者と利用者との間での情報共有を容易に効率よく行なうことのできる情報共有システムの提供。【解決手段】情報提供者が提供する情報（コンテンツ１３１）は、情報利用者が閲覧する電子パンフレットデータ１３２および、その検索キーとなる電子パンフレットインデックス１３３から構成され、サーバに格納されている。電子パンフレットインデックス１３３には、情報提供者の業種など（カテゴリ）に関わらず、検索キーを標準化して格納しているため、情報の提供・検索ともに容易である。また、電子パンフレットインデックス１３３にはコンテンツの位置情報を格納しているため、情報利用者は場所を指定してコンテンツを検索することができる。さらに、時間、日、位置、金額などに関する項目も標準化されているため、情報利用者はそれらの項目を単独で検索キーとすることができ、所望する情報を探し易い。【選択図】図１
2005293276.tif 000002
【特許請求の範囲】
【請求項１】
サーバに登録された電子パンフレットを利用者端末で検索し閲覧するネットワーク上の情報共有システムのサーバ・システムであって、
前記サーバ・システムは、
前記電子パンフレットを記憶している電子パンフレット記憶手段と、
前記電子パンフレットのデジタルマップ上の位置情報と、前記電子パンフレットが属するカテゴリとを有する電子パンフレットインデックスを記憶している電子パンフレットインデックス記憶手段と、
デジタルマップを記憶しているデジタルマップ記憶手段と、
前記利用者端末から前記電子パンフレットを前記電子パンフレットインデックスで検索するための検索用ページを生成する検索用ページ生成手段と、
前記利用者端末に前記検索用ページを送信する検索用ページ送信手段と、
前記利用者端末からの要求を受信する要求受信手段と、
前記利用者端末からの要求により、前記デジタルマップ記憶手段から前記デジタルマップを読み出して前記検索用ページに表示するデジタルマップ表示手段と、
前記利用者端末からの要求により、前記電子パンフレットインデックスの前記位置情報および前記カテゴリを参照して前記電子パンフレットを検索する電子パンフレット検索手段と、
前記電子パンフレット検索手段の検索結果を前記検索用ページに該電子パンフレットへのハイパーリンクで表示する検索結果表示手段と、
前記利用者端末からの要求により、前記電子パンフレットを前記利用者端末に送信する電子パンフレット送信手段と
を備えることを特徴とする情報共有システムのサーバ・システム。
【請求項２】
請求項１に記載のサーバ・システムにおいて、
前記電子パンフレットインデックスは、さらに、前記電子パンフレット上で提供するサービスの提供可能日を有しており、
前記電子パンフレット検索手段は、前記利用者端末からの要求により、前記電子パンフレットインデックスの前記提供可能日を参照して前記電子パンフレットを検索する
ことを特徴とするサーバ・システム。
【請求項３】
請求項１又は２に記載のサーバ・システムにおいて、
前記電子パンフレットインデックスは、さらに、前記電子パンフレット上で提供するサービスの提供可能時間を有しており、
前記電子パンフレット検索手段は、前記利用者端末からの要求により、前記電子パンフレットインデックスの前記提供可能時間を参照して前記電子パンフレットを検索する
ことを特徴とするサーバ・システム。
【請求項４】
請求項１〜３のいずれかに記載のサーバ・システムにおいて、
前記電子パンフレットインデックスは、さらに、前記電子パンフレット上で提供するサービスの提供価格を有しており、
前記電子パンフレット検索手段は、前記利用者端末からの要求により、前記電子パンフレットインデックスの前記提供価格を参照して前記電子パンフレットを検索する
ことを特徴とするサーバ・システム。
【請求項５】
請求項１〜４のいずれかに記載のサーバ・システムにおいて、
前記電子パンフレット検索手段は、前記利用者端末から入力された拠点および該拠点からの距離の条件により、前記電子パンフレットインデックスの前記位置情報を参照して前記拠点と前記位置情報との間の距離を算出し、前記入力された条件に適した前記電子パンフレットを検索する
ことを特徴とするサーバ・システム。
【請求項６】
請求項２〜５のいずれかに記載のサーバ・システムにおいて、
前記電子パンフレット検索手段は、前記利用者端末から前記サービスの提供可能日および提供可能時間による検索条件が要求されなかった場合に、現在の日時を検索条件とする
ことを特徴とするサーバ・システム。
【請求項７】
請求項６に記載のサーバ・システムにおいて、
前記電子パンフレットインデックスは、前記現在の日時が前記サービスの提供可能日および提供可能時間に該当しない場合に、前記電子パンフレット検索手段に該電子パンフレットを検索させるか否かのフラグを有しており、
前記電子パンフレット検索手段は、前記フラグを参照して電子パンフレットを検索する
ことを特徴とするサーバ・システム。
【請求項８】
請求項１〜７のいずれかに記載のサーバ・システムにおいて、
前記検索結果表示手段は、前記ハイパーリンクとともに、前記検索用ページに表示されたデジタルマップ上に前記検索結果の電子パンフレットの位置を示す画像ファイルを表示する
ことを特徴とするサーバ・システム。
【請求項９】
請求項８に記載のサーバ・システムにおいて、
前記サーバ・システムは、さらに、
各電子パンフレットへの前記利用者端末からのアクセス数を記憶するアクセス数記憶手段を備えており、
前記検索結果表示手段は、前記検索結果の電子パンフレットの位置に、前記アクセス数に応じた画像ファイルを表示する
ことを特徴とするサーバ・システム。
【請求項１０】
請求項１〜９のいずれかに記載のサーバ・システムにおいて、
前記電子パンフレットは、複数の表示画面で構成され、
前記各表示画面は、該表示画面を分割するためのサイズ情報であるフレームにより分割された１つ又は複数のブロックで構成され、
前記各ブロックに、情報を掲載したページを配置している
ことを特徴とするサーバ・システム。
【請求項１１】
請求項１０に記載のサーバ・システムにおいて、
さらに、前記サーバと前記利用者端末との通信速度を測定する通信速度測定手段を備えており、
前記電子パンフレットには、さらに、該電子パンフレットの前記各表示画面および各ページを、前記表示画面毎および前記ページ毎にあらかじめ決められた表示順序・表示速度に従って自動的に再生表示するための自動再生情報を有し、
前記電子パンフレット送信手段は、前記通信速度測定手段からの通信速度および前記自動再生情報に従って電子パンフレットの前記各表示画面および前記各ページを前記利用者端末に送信する
ことを特徴とするサーバ・システム。
【請求項１２】
請求項１１に記載のサーバ・システムにおいて、
前記電子パンフレットには、利用者端末が前記表示速度の調整を要求するための表示速度調節入力手段を備えており、
電子パンフレット送信手段は、前記利用者端末からの表示速度の調整要求により、前記通信速度測定手段で測定した通信速度および前記自動再生情報に従って電子パンフレットの各表示画面および各ページを前記利用者端末に送信する
ことを特徴とするサーバ・システム。
【請求項１３】
請求項１〜１２のいずれかに記載のサーバ・システムにおいて、
前記デジタルマップ記憶手段は、デジタルマップを一定のサイズの格子状に分割した画像ファイルと、該画像ファイルのデジタルマップ上の座標とを記憶しており、
前記デジタルマップ表示手段は、前記デジタルマップ記憶手段から読み出した前記画像ファイルを前記座標に従って並べて前記検索用ページに表示する
ことを特徴とするサーバ・システム。
【請求項１４】
請求項１３に記載のサーバ・システムにおいて、
前記サーバ・システムは、さらに、
前記デジタルマップ表示手段で表示したデジタルマップを、前記利用者端末からの要求により前記画像ファイルの単位で上下左右に移動させて再表示するデジタルマップ移動表示手段
を備えていることを特徴とするサーバ・システム。
【請求項１５】
請求項１〜１４のいずれかに記載のサーバ・システムにおいて、
前記デジタルマップ記憶手段は、表示精度の異なる複数の階層のデジタルマップを記憶しており、
前記デジタルマップ表示手段は、前記利用者端末から指定された表示精度に対応する階層のデジタルマップを前記デジタルマップ記憶手段から読み出して前記検索用ページに表示することを特徴とするサーバ・システム。
【請求項１６】
請求項１５に記載のサーバ・システムにおいて、
前記デジタルマップ記憶手段は、前記電子パンフレットに対応した専用マップを最下位の階層に記憶していることを特徴とするサーバ・システム。
【請求項１７】
請求項１〜１６のいずれかに記載のサーバ・システムにおいて、
前記サーバ・システムは、さらに、
前記利用者端末から任意に指定された前記電子パンフレットのファイル名および任意に指定された位置情報および前記電子パンフレット上で提供するサービスを利用したサービス利用履歴を利用者別に記憶する利用履歴記憶手段と、
前記利用者端末からの要求により、前記利用履歴記憶手段から該利用者の利用履歴を読み出して、前記利用履歴の一覧をハイパーリンクで表示した利用履歴一覧ページを生成する利用履歴一覧ページ生成手段と、
前記利用者端末に前記利用履歴一覧ページを送信する利用履歴一覧ページ送信手段と
を備えており、
前記電子パンフレット送信手段は、前記利用履歴一覧ページ上の一覧から選択された電子パンフレットファイル名に対応する電子パンフレットを前記利用者端末に送信し、
前記デジタルマップ表示手段は、前記利用履歴一覧ページ上の一覧から選択された位置情報に対応する前記デジタルマップを読み出して表示する
ことを特徴とするサーバ・システム。
【請求項１８】
請求項１〜１７のいずれかに記載のサーバ・システムにおいて、
前記利用履歴記憶手段は、さらに、同一の利用者から同一の電子パンフレットがあらかじめ決められた頻度で選択された場合に、該電子パンフレットのファイル名を自動的に記憶する
ことを特徴とするサーバ・システム。
【請求項１９】
請求項１〜１８のいずれかに記載のサーバ・システムにおいて、
前記電子パンフレットインデックスには、さらに、該電子パンフレットの最終更新日時を有しており、
前記利用履歴記憶手段には、さらに、該利用者端末から各電子パンフレットへの最終アクセス日時を記憶しており、
前記利用履歴一覧ページ生成手段は、前記利用履歴の一覧と共に、各々の利用履歴に対応する電子パンフレットの前記最終更新日時および前記最終アクセス日時を表示した利用履歴一覧ページを生成する
ことを特徴とするサーバ・システム。
【請求項２０】
請求項１〜１９のいずれかに記載のサーバ・システムをコンピュータ・システムに実現させるためのプログラム。
【請求項２１】
出展者端末からサーバに登録された電子パンフレットを利用者端末で検索し閲覧するネットワーク上の情報共有システムであって、
前記サーバは、
前記電子パンフレットを記憶している電子パンフレット記憶手段と、
前記電子パンフレットのデジタルマップ上の位置情報と、前記電子パンフレットが属するカテゴリと、前記電子パンフレット上で提供するサービスの提供可能日と、前記サービスの提供可能時間と、前記サービスの提供価格とを有する電子パンフレットインデックスを記憶している電子パンフレットインデックス記憶手段と、
デジタルマップを記憶しているデジタルマップ記憶手段と、
前記利用者端末から前記電子パンフレットを前記電子パンフレットインデックスで検索するための検索用ページを生成する検索用ページ生成手段と、
前記利用者端末に前記検索用ページを送信する検索用ページ送信手段と、
前記利用者端末からの要求を受信する要求受信手段と、
前記利用者端末からの要求により、前記デジタルマップ記憶手段から前記デジタルマップを読み出して前記検索用ページに表示するデジタルマップ表示手段と、
前記利用者端末からの要求により、前記電子パンフレットインデックスの前記位置情報および前記カテゴリを参照して前記電子パンフレットを検索する電子パンフレット検索手段と、
前記電子パンフレット検索手段の検索結果を前記検索用ページに該電子パンフレットへのハイパーリンクで表示する検索結果表示手段と、
前記利用者端末からの要求により、前記電子パンフレットを前記利用者端末に送信する電子パンフレット送信手段と
を備えており、
前記出展者端末は、
前記電子パンフレットを作成する電子パンフレット作成手段と、
作成した前記電子パンフレットを前記電子パンフレット記憶手段に登録する電子パンフレット登録手段と、
前記電子パンフレットインデックスの各項目の内容を前記電子パンフレットインデックス記憶手段に登録する電子パンフレットインデックス登録手段と
を備えており、
前記利用者端末は、
前記検索用ページを受信して表示する検索用ページ表示手段と、
前記検索用ページ上から前記サーバへの要求を前記サーバに送信する要求送信手段と、
前記電子パンフレットを受信して表示する電子パンフレット表示手段と、
を備えていることを特徴とする情報共有システム。
【請求項２２】
請求項２１に記載の情報共有システムにおいて、
前記電子パンフレットは、複数の表示画面で構成され、
前記各表示画面は、該表示画面を分割するためのサイズ情報であるフレームにより分割された１つ又は複数のブロックで構成され、
前記各ブロックに、情報を掲載したページを配置している
ことを特徴とする情報共有システム。
【請求項２３】
請求項２２に記載の情報共有システムにおいて、
前記サーバは、さらに、前記サーバと前記利用者端末との通信速度を測定する通信速度測定手段を備えており、
前記電子パンフレットには、さらに、該電子パンフレットの前記各表示画面および各ページを、前記表示画面毎および前記ページ毎にあらかじめ決められた表示順序・表示速度に従って自動的に再生表示するための自動再生情報を有し、
前記電子パンフレット送信手段は、前記通信速度測定手段からの通信速度および前記自動再生情報に従って電子パンフレットの前記各表示画面および前記各ページを前記利用者端末に送信し、
前記電子パンフレット作成手段は、さらに、電子パンフレット作成時に前記表示順序および前記表示速度を前記自動再生情報に記述する
ことを特徴とする情報共有システム。
【請求項２４】
請求項２１〜２３のいずれかに記載の情報共有システムにおいて、
前記サーバは、さらに、
前記利用者端末から任意に指定された前記電子パンフレットのファイル名および任意に指定された位置情報および前記電子パンフレット上で提供するサービスを利用したサービス利用履歴を利用者別に記憶する利用履歴記憶手段と、
前記利用者端末からの要求により、前記利用履歴記憶手段から該利用者の利用履歴を読み出して、前記利用履歴の一覧をハイパーリンクで表示した利用履歴一覧ページを生成する利用履歴一覧ページ生成手段と、
前記利用者端末に前記利用履歴一覧ページを送信する利用履歴一覧ページ送信手段と
を備えており、
前記電子パンフレット送信手段は、前記利用履歴一覧ページ上の一覧から選択された電子パンフレットファイル名に対応する電子パンフレットを前記利用者端末に送信し、
前記デジタルマップ表示手段は、前記利用履歴一覧ページ上の一覧から選択された位置情報に対応する前記デジタルマップを読み出して表示し、
前記利用者端末には、さらに、
利用履歴データベースに登録する電子パンフレットおよび位置情報を指定入力する利用履歴入力手段と、
前記利用履歴一覧ページを受信して表示する利用履歴一覧ページ表示手段と
を備えていることを特徴とする情報共有システム。
【請求項２５】
請求項２４に記載の情報共有システムにおいて、
前記出展者端末は、さらに、
前記利用履歴記憶手段から自己の電子パンフレットを利用した利用者の前記サービス利用履歴をダウンロードして記憶するサービス利用履歴情報記憶手段
を備えていることを特徴とする情報共有システム。
【請求項２６】
請求項２１〜２５のいずれかに記載の情報共有システムをコンピュータ・システムに実現させるためのプログラム。
【発明の詳細な説明】
【技術分野】
【０００１】
本発明は、ネットワーク上で情報を共有する情報共有システムに関する。
【背景技術】
【０００２】
従来、インターネット等のネットワーク上で共有されている情報（テキストファイル、画像ファイル、音楽ファイルなどのコンテンツ）は、情報を提供したい者（情報提供者）が自由に制作し、例えばＨＴＭＬなどの形式で提供している。また、情報を利用したい者（利用者）は、例えばYahoo（非特許文献１）やGoogle（非特許文献２）などの検索エンジンを利用して、自分の所望する情報を探すことが多い。これらはテキストによる検索を行なう検索エンジンであるが、検索対象となるテキストは、ホームページを構成するＨＴＭＬファイルに記述されているテキスト（例えば「ＭＥＴＡ」タグ内のテキスト）や、情報提供者が登録時に申請したキーワード等である。これらの検索用テキストは、非特許文献１および非特許文献２のデータベースに登録され、管理されている。
【０００３】
【非特許文献１】Yahoo! Japan ( http://www.yahoo.co.jp/ )
【非特許文献２】Google日本 ( http://www.google.co.jp/ )
【発明の開示】
【発明が解決しようとする課題】
【０００４】
しかしながら、従来のテキスト検索による場合、データベースに登録されている膨大な情報の中から利用者が自分の望む情報をテキストのみで効率よく検索することは難しい。非特許文献１においては、コンテンツをカテゴリから検索することもできるが、例えば、所望の商品やサービスを見つけたとしても、それが提供されている場所、営業日、価格などが希望に合わないなど、今欲しい情報を見つけることは困難である。一方、情報（サービス）提供者が、自分のコンテンツを利用者に見つけてもらいやすいような検索用テキストを自分で考えて提供することも困難である。
この問題を解決するには情報（コンテンツ）を標準化して一元的に管理することが望ましい。しかしながら、従来のネットワーク上のコンテンツは、通常、各々の情報提供者が加入しているプロバイダのサーバで管理されている。このため、それらの情報を全て統一することは難しい。
また、従来は、コンテンツの場所（例えば店舗の場所など、商品やサービスが提供される場所）を知るには、利用者がそのコンテンツ（ホームページなど）をすみずみまで閲覧して所在地の情報を探す必要がある。そして、たとえ住所が掲載されていても地図や交通手段などが掲載されていなければ、利用者が自分で別途調べなければならず、利用者の負担が大きいという問題がある。
本発明は、上記の課題を解決し、コンテンツを検索するための定型化・標準化されたインデックスを持ち、コンテンツの登録から検索までを統括されたシステムで管理することで、情報提供者と利用者との間での情報共有を容易に、効率よく行なうことのできる情報共有システムを提供するものである。
【課題を解決するための手段】
【０００５】
上記の課題を解決するために、本発明は、サーバに登録された電子パンフレットを利用者端末で検索し閲覧するネットワーク上の情報共有システムのサーバ・システムであって、前記サーバ・システムは、前記電子パンフレットを記憶している電子パンフレット記憶手段と、前記電子パンフレットのデジタルマップ上の位置情報と、前記電子パンフレットが属するカテゴリとを有する電子パンフレットインデックスを記憶している電子パンフレットインデックス記憶手段と、デジタルマップを記憶しているデジタルマップ記憶手段と、前記利用者端末から前記電子パンフレットを前記電子パンフレットインデックスで検索するための検索用ページを生成する検索用ページ生成手段と、前記利用者端末に前記検索用ページを送信する検索用ページ送信手段と、前記利用者端末からの要求を受信する要求受信手段と、前記利用者端末からの要求により、前記デジタルマップ記憶手段から前記デジタルマップを読み出して前記検索用ページに表示するデジタルマップ表示手段と、前記利用者端末からの要求により、前記電子パンフレットインデックスの前記位置情報および前記カテゴリを参照して前記電子パンフレットを検索する電子パンフレット検索手段と、
前記電子パンフレット検索手段の検索結果を前記検索用ページに該電子パンフレットへのハイパーリンクで表示する検索結果表示手段と、前記利用者端末からの要求により、前記電子パンフレットを前記利用者端末に送信する電子パンフレット送信手段とを備えることを特徴とする情報共有システムのサーバ・システムである。
このように、サーバに登録された電子パンフレットの検索を、サーバ上の統括されたシステムで管理していることにより、利用者端末からの電子パンフレットの検索を容易に、効率よく行なうことができる。
また、電子パンフレットインデックスを検索キーとしているため、利用者は「いつ」「どこで」「何を」の条件を自由に組み合わせた検索条件で所望の電子パンフレットを容易に検索することができる。
【０００６】
また、前記電子パンフレットインデックスは、さらに、前記電子パンフレット上で提供するサービスの提供可能日を有しており、前記電子パンフレット検索手段は、前記利用者端末からの要求により、前記電子パンフレットインデックスの前記提供可能日を参照して前記電子パンフレットを検索することを特徴としてもよい。
これにより、サービスの提供可能日（営業日）を検索条件とする電子パンフレットの検索が可能となり、例えば、利用者が所望する日にサービスを提供可能な電子パンフレットを絞り込んで検索することができる。
さらに、前記電子パンフレット上で提供するサービスの提供可能時間を有しており、
前記電子パンフレット検索手段は、前記利用者端末からの要求により、前記電子パンフレットインデックスの前記提供可能時間を参照して前記電子パンフレットを検索することを特徴としてもよい。
これにより、サービスの提供可能時間（営業時間）を検索条件とする電子パンフレットの検索が可能となり、例えば、利用者が所望する時間帯にサービスを提供可能な電子パンフレットを絞り込んで検索することができる。
さらに、前記電子パンフレット上で提供するサービスの提供価格を有しており、前記電子パンフレット検索手段は、前記利用者端末からの要求により、前記電子パンフレットインデックスの前記提供価格を参照して前記電子パンフレットを検索することを特徴としてもよい。
これにより、サービスの提供価格を検索条件とする電子パンフレットの検索が可能となり、例えば、利用者が所望する価格帯のサービスを提供可能な電子パンフレットを絞り込んで検索することができる。
【０００７】
また、前記電子パンフレット検索手段は、前記利用者端末から入力された拠点および該拠点からの距離の条件により、前記電子パンフレットインデックスの前記位置情報を参照して前記拠点と前記位置情報との間の距離を算出し、前記入力された条件に適した前記電子パンフレットを検索することを特徴としてもよい。
これにより、例えば、利用者の自宅など指定した場所からの距離を検索条件として、該当する電子パンフレットを絞り込んで検索することができる。
また、これらの提供可能日、提供可能時間、提供価格、距離の検索条件は単独または組み合わせて用いることができる。
【０００８】
また、前記電子パンフレット検索手段は、前記利用者端末から前記サービスの提供可能日および提供可能時間による検索条件が要求されなかった場合に、現在の日時を検索条件とすることを特徴としてもよい。
このとき、前記電子パンフレットインデックスは、前記現在の日時が前記サービスの提供可能日および提供可能時間に該当しない場合に、前記電子パンフレット検索手段に該電子パンフレットを検索させるか否かのフラグを有しており、前記電子パンフレット検索手段は、前記フラグを参照して電子パンフレットを検索することを特徴としてもよい。
これにより、出展者（情報提供者）のサービスが営業日外・営業時間外である場合には電子パンフレットを検索対象としないようにすることができる。さらに、上記の場合に検索対象とするかどうかを情報提供者側で自由に決定することができる。上記の場合に検索対象としないようにすれば、検索条件として営業日や営業時間を指定しなくても、現在営業中でないサービス（商品）は検索結果に表示されないため、情報利用者にとっても検索結果の内容をチェックする手間を省略することができる。
【０００９】
また、前記検索結果表示手段は、前記ハイパーリンクとともに、前記検索用ページに表示されたデジタルマップ上に前記検索結果の電子パンフレットの位置を示す画像ファイルを表示することを特徴としてもよい。
これにより、利用者端末の画面に表示したデジタルマップ上で電子パンフレットの所在地を明らかにすることができる。
このとき、さらに、各電子パンフレットへの前記利用者端末からのアクセス数を記憶するアクセス数記憶手段を備えており、前記検索結果表示手段は、前記検索結果の電子パンフレットの位置に、前記アクセス数に応じた画像ファイルを表示するようにしてもよい。
これにより、例えば、電子パンフレットのアクセス数のランキング表示などが可能である。
【００１０】
また、前記電子パンフレットは、複数の表示画面で構成され、前記各表示画面は、該表示画面を分割するためのサイズ情報であるフレームにより分割された１つ又は複数のブロックで構成され、前記各ブロックに、情報を掲載したページを配置していることを特徴としてもよい。
このとき、さらに、前記サーバと前記利用者端末との通信速度を測定する通信速度測定手段を備えており、前記電子パンフレットには、さらに、該電子パンフレットの前記各表示画面および各ページを、前記表示画面毎および前記ページ毎にあらかじめ決められた表示順序・表示速度に従って自動的に再生表示するための自動再生情報を有し、前記電子パンフレット送信手段は、前記通信速度測定手段からの通信速度および前記自動再生情報に従って電子パンフレットの前記各表示画面および前記各ページを前記利用者端末に送信することを特徴としてもよい。
これにより、サーバはあらかじめ決められた電子パンフレットの各表示画面および各ブロックに配置したページ毎の表示順序および表示速度、および測定した利用者端末との通信速度に従って各表示画面および各ブロックに配置したページを表示することができる。
【００１１】
さらに、前記電子パンフレットには、利用者端末が前記表示速度の調整を要求するための表示速度調節入力手段を備えており、電子パンフレット送信手段は、前記利用者端末からの表示速度の調整要求により、前記通信速度測定手段で測定した通信速度および前記自動再生情報に従って電子パンフレットの各表示画面および各ページを前記利用者端末に送信することを特徴としてもよい。
これにより、あらかじめ決定されている電子パンフレットの各表示画面および各ブロックに配置したページの表示速度（再生速度）を、利用者端末側で自由に変更することができる。
【００１２】
また、前記デジタルマップ記憶手段は、デジタルマップを一定のサイズの格子状に分割した画像ファイルと、該画像ファイルのデジタルマップ上の座標とを記憶しており、
前記デジタルマップ表示手段は、前記デジタルマップ記憶手段から読み出した前記画像ファイルを前記座標に従って並べて前記検索用ページに表示することを特徴としてもよい。
さらに、前記デジタルマップ表示手段で表示したデジタルマップを、前記利用者端末からの要求により前記画像ファイルの単位で上下左右に移動させて再表示するデジタルマップ移動表示手段を備えていることを特徴としてもよい。
【００１３】
また、前記デジタルマップ記憶手段は、表示精度の異なる複数の階層のデジタルマップを記憶しており、前記デジタルマップ表示手段は、前記利用者端末から指定された表示精度に対応する階層のデジタルマップを前記デジタルマップ記憶手段から読み出して前記検索用ページに表示することを特徴としてもよい。
このとき、前記デジタルマップ記憶手段は、前記電子パンフレットに対応した専用マップを最下位の階層に記憶していることを特徴としてもよい。
これにより、例えば電子パンフレットの所在地までの地図など、電子パンフレット専用に作成されたデジタルマップを、その電子パンフレットが検索された際に利用者端末に表示することができる。
【００１４】
また、前記サーバ・システムは、さらに、前記利用者端末から任意に指定された前記電子パンフレットのファイル名および任意に指定された位置情報および前記電子パンフレット上で提供するサービスを利用したサービス利用履歴を利用者別に記憶する利用履歴記憶手段と、前記利用者端末からの要求により、前記利用履歴記憶手段から該利用者の利用履歴を読み出して、前記利用履歴の一覧をハイパーリンクで表示した利用履歴一覧ページを生成する利用履歴一覧ページ生成手段と、前記利用者端末に前記利用履歴一覧ページを送信する利用履歴一覧ページ送信手段とを備えており、前記電子パンフレット送信手段は、前記利用履歴一覧ページ上の一覧から選択された電子パンフレットファイル名に対応する電子パンフレットを前記利用者端末に送信し、前記デジタルマップ表示手段は、前記利用履歴一覧ページ上の一覧から選択された位置情報に対応する前記デジタルマップを読み出して表示することを特徴としてもよい。
このように利用者の利用履歴をサーバに記憶して、利用者端末に一覧表示することにより、利用者は頻繁に閲覧する情報について再度の検索をする必要がなく、迅速に閲覧することができる。
【００１５】
前記利用履歴記憶手段は、さらに、同一の利用者から同一の電子パンフレットがあらかじめ決められた頻度で選択された場合に、該電子パンフレットのファイル名を自動的に記憶することを特徴としてもよい。
これにより、利用者が一定期間内に一定回数閲覧した電子パンフレットは自動的に利用履歴として記憶され、利用者が手動で利用履歴を登録する手間を省略することができる。
前記電子パンフレットインデックスには、さらに、該電子パンフレットの最終更新日時を有しており、前記利用履歴記憶手段には、さらに、該利用者端末から各電子パンフレットへの最終アクセス日時を記憶しており、前記利用履歴一覧ページ生成手段は、前記利用履歴の一覧と共に、各々の利用履歴に対応する電子パンフレットの前記最終更新日時および前記最終アクセス日時を表示した利用履歴一覧ページを生成することを特徴としてもよい。
これにより、利用者は利用履歴に登録している電子パンフレットが、自分が最後に閲覧した後に更新されているかどうかを、容易に知ることができる。
【００１６】
上記のいずれかに記載のサーバ・システムをコンピュータ・システムに実現させるためのプログラムも、本発明である。
【００１７】
また、本発明は、出展者端末からサーバに登録された電子パンフレットを利用者端末で検索し閲覧するネットワーク上の情報共有システムであって、前記サーバは、前記電子パンフレットを記憶している電子パンフレット記憶手段と、前記電子パンフレットのデジタルマップ上の位置情報と、前記電子パンフレットが属するカテゴリと、前記電子パンフレット上で提供するサービスの提供可能日と、前記サービスの提供可能時間と、前記サービスの提供価格とを有する電子パンフレットインデックスを記憶している電子パンフレットインデックス記憶手段と、デジタルマップを記憶しているデジタルマップ記憶手段と、前記利用者端末から前記電子パンフレットを前記電子パンフレットインデックスで検索するための検索用ページを生成する検索用ページ生成手段と、前記利用者端末に前記検索用ページを送信する検索用ページ送信手段と、前記利用者端末からの要求を受信する要求受信手段と、前記利用者端末からの要求により、前記デジタルマップ記憶手段から前記デジタルマップを読み出して前記検索用ページに表示するデジタルマップ表示手段と、前記利用者端末からの要求により、前記電子パンフレットインデックスの前記位置情報および前記カテゴリを参照して前記電子パンフレットを検索する電子パンフレット検索手段と、前記電子パンフレット検索手段の検索結果を前記検索用ページに該電子パンフレットへのハイパーリンクで表示する検索結果表示手段と、前記利用者端末からの要求により、前記電子パンフレットを前記利用者端末に送信する電子パンフレット送信手段とを備えており、前記出展者端末は、前記電子パンフレットを作成する電子パンフレット作成手段と、作成した前記電子パンフレットを前記電子パンフレット記憶手段に登録する電子パンフレット登録手段と、前記電子パンフレットインデックスの各項目の内容を前記電子パンフレットインデックス記憶手段に登録する電子パンフレットインデックス登録手段とを備えており、前記利用者端末は、前記検索用ページを受信して表示する検索用ページ表示手段と、前記検索用ページ上から前記サーバへの要求を前記サーバに送信する要求送信手段と、前記電子パンフレットを受信して表示する電子パンフレット表示手段とを備えていることを特徴とする情報共有システムである。
このように、出展者による登録から利用者による検索までを統括されたシステムで管理していることにより、出展者と利用者との間での電子パンフレットの共有を容易に、効率よく行なうことができる。
また、電子パンフレットインデックスを検索キーとしているため、利用者は「いつ」「どこで」「何を」の条件を自由に組み合わせた検索条件で所望の電子パンフレットを容易に検索することができる。
【００１８】
また、前記電子パンフレットは、複数の表示画面で構成され、前記各表示画面は、該表示画面を分割するためのサイズ情報であるフレームにより分割された１つ又は複数のブロックで構成され、前記各ブロックに、情報を掲載したページを配置していることを特徴としてもよい。
このとき、前記サーバは、さらに、前記サーバと前記利用者端末との通信速度を測定する通信速度測定手段を備えており、前記電子パンフレットには、さらに、該電子パンフレットの前記各表示画面および各ページを、前記表示画面毎および前記ページ毎にあらかじめ決められた表示順序・表示速度に従って自動的に再生表示するための自動再生情報を有し、前記電子パンフレット送信手段は、前記通信速度測定手段からの通信速度および前記自動再生情報に従って電子パンフレットの前記各表示画面および前記各ページを前記利用者端末に送信し、前記電子パンフレット作成手段は、さらに、電子パンフレット作成時に前記表示順序および前記表示速度を前記自動再生情報に記述することを特徴としてもよい。
これにより、出展者は電子パンフレットを構成する各表示画面および各ブロックに配置したページの表示順序および表示速度を、各表示画面および各ブロック毎に、自由に決定することができる。そして、サーバはここで決められた電子パンフレットの各表示画面および各ブロックに配置したページ毎の表示順序および表示速度、および測定した利用者端末との通信速度に従って、各表示画面および各ブロックに配置したページを表示することができる。
【００１９】
また、前記サーバは、さらに、前記利用者端末から任意に指定された前記電子パンフレットのファイル名および任意に指定された位置情報および前記電子パンフレット上で提供するサービスを利用したサービス利用履歴を利用者別に記憶する利用履歴記憶手段と、前記利用者端末からの要求により、前記利用履歴記憶手段から該利用者の利用履歴を読み出して、前記利用履歴の一覧をハイパーリンクで表示した利用履歴一覧ページを生成する利用履歴一覧ページ生成手段と、前記利用者端末に前記利用履歴一覧ページを送信する利用履歴一覧ページ送信手段とを備えており、前記電子パンフレット送信手段は、前記利用履歴一覧ページ上の一覧から選択された電子パンフレットファイル名に対応する電子パンフレットを前記利用者端末に送信し、前記デジタルマップ表示手段は、前記利用履歴一覧ページ上の一覧から選択された位置情報に対応する前記デジタルマップを読み出して表示し、前記利用者端末には、さらに、利用履歴データベースに登録する電子パンフレットおよび位置情報を指定入力する利用履歴入力手段と、前記利用履歴一覧ページを受信して表示する利用履歴一覧ページ表示手段とを備えていることを特徴としてもよい。
このように利用者の利用履歴をサーバに記憶して、利用者端末に一覧表示することにより、利用者は頻繁に閲覧する情報について再度の検索をする必要がなく、迅速に閲覧することができる。
また、前記出展者端末は、さらに、前記利用履歴記憶手段から自己の電子パンフレットを利用した利用者の前記サービス利用履歴をダウンロードして記憶するサービス利用履歴情報記憶手段を備えていることを特徴としてもよい。
これにより、出展者は自己サービスを利用した顧客の利用履歴をサーバから自己の端末にダウンロードすることができ、その利用履歴情報を閲覧・加工して例えば商品企画や販売計画等に利用することができる。
【００２０】
上記のいずれかに記載の情報共有システムをコンピュータ・システムに実現させるためのプログラムも、本発明である。
【発明の効果】
【００２１】
本発明の情報共有システムでは、全てのコンテンツは「いつ（時間・期間）」「どこで（場所）」「何を（カテゴリ）」という時空間モデル上で標準化されたインデックスを持っている。そして、利用者がコンテンツを検索する検索用サイトはこの時空間モデルに従って用意されているため、利用者はインデックスの各項目を自由に検索条件とすることができ、膨大なコンテンツの中から自分の必要な情報のみを効率良く見つけることができる。また、情報提供者がコンテンツを作成してサーバに登録するソフトウェアもこの時空間モデルに従って設計しているため、情報提供者は利用者に見つけてもらいやすいコンテンツを簡単に作成して提供することができる。
【発明を実施するための最良の形態】
【００２２】
以降、本発明の情報共有システムの実施形態を詳細に説明する。
＜１．システム構成＞
まず、本実施形態の情報共有システムの全体構成を、図１を参照しながら説明する。
図１において、デジタルマップ・サーバ１１０，ＷＥＢサーバ１２０，共有データサーバ１３０は、本実施形態の情報共有システムのサーバである。また、例えば自己の商品やサービスその他の情報を提供する者（以降「出展者」という）の端末（以降「出展者端末」という）１４０，および出展者の情報を利用する者（以降「利用者」という）の端末（以降「利用者端末」という）１５０が、インターネットなどのネットワーク１６０を介して、サーバに接続している。出展者は自己の情報を提示するコンテンツを作成してサーバに登録し、利用者は登録されたコンテンツを検索、閲覧して情報を利用することができる。
デジタルマップ・サーバ１１０には、デジタルマップ１１１およびデジタルマップ・システム１１２を格納している。本実施形態において、デジタルマップ１１１は地図の画像を一定のサイズに分割した画像ファイルと、それぞれの画像ファイルの位置情報とを格納しているライブラリである。この画像ファイルのファイル形式は、例えばＪＰＥＧなどである。デジタルマップ・システム１１２は、端末からの要求により、デジタルマップ１１１から画像ファイルを読み出して、端末の画面に表示するための表示用画像を生成する処理を行なうシステムである。デジタルマップ１１１およびデジタルマップ・システム１１２については後で詳しく説明する。
【００２３】
Ｗｅｂサーバ１２０は、利用者端末１５０にコンテンツ１３１の検索や閲覧をさせたり、出展者が提供している商品やサービスの注文・予約などを行なわせたりするためのサーバである。なお、コンテンツ１３１については後で詳しく説明する。Ｗｅｂアプリケーション１２１は、利用者端末１５０からの要求に応じて、コンテンツ１３１を読み、利用者端末のブラウザ１５１に受け渡すプログラムである。また、Ｗｅｂアプリケーション１２１は、処理の必要に応じて名称変換テーブル１２３，マルチランゲージ・テーブル１２４を参照する。名称変換テーブル１２３，マルチランゲージ・テーブル１２４については後で詳しく説明する。電子決済プログラム１２２は、予約や注文の電子決済を行なうプログラムである。
【００２４】
共有データサーバ１３０は、本実施形態の情報共有システムの各データベースやライブラリなどを格納しているサーバであり、コンテンツ１３１，利用履歴データベース１３４，取引履歴トランザクション１３５，および本実施形態の情報共有システムの各マスタを格納している。マスタには、顧客マスタ１３７，商品マスタ１３９，会員マスタ１３６，出展者マスタ１３８などがある。
コンテンツ１３１は、電子パンフレットデータ１３２および電子パンフレットインデックス１３３で構成されている。電子パンフレットとは、出展者の商品やサービスを紹介し、利用者がそれを閲覧してサービスを利用（注文や予約など）するためのパンフレットであり、複数の表示画面で構成されている。本実施形態において、電子パンフレットは例えば出展者がコンテンツごとに１冊ずつ作成する。なお、本実施形態においては、電子パンフレットの各表示画面は、表示画面を分割するためのサイズ情報であるフレームにより、１つまたは複数のブロックに分割され、それぞれのブロックに、情報を掲載したページを表示することができる。また、各ページは、自動再生を行なうことができる。
電子パンフレットデータ１３２は、上述した電子パンフレットを構成する各表示画面の構成（フレームなど）や、各ページに表示する画像ファイル等の情報、各ページの自動再生を行なうための自動再生情報などを格納したライブラリである。また、電子パンフレットインデックス１３３は、利用者が電子パンフレットを検索する際のキーとなる各項目を格納しているデータベースである。例えば、出展者の情報（名称や連絡先、業種など）や位置情報、および商品・サービスの内容（商品の名称や価格など）などの項目である。電子パンフレットデータ１３２および電子パンフレットインデックス１３３の各項目については後で詳しく説明する。
【００２５】
取引履歴トランザクション１３５には、利用者が行なった取引（商品の注文やサービスの予約など）のトランザクションを格納する。利用履歴データベース１３４には、利用者の利用履歴を登録する。利用履歴とは、例えば、利用者が行なった取引の履歴や、お気に入りとして登録した場所やコンテンツなどの情報である。
顧客マスタ１３７は、利用者が「顧客」として登録されるデータベースである。利用者が「顧客」となるのは、最初に出展者のコンテンツを利用した時（すなわち、商品の注文やサービスの予約などの取引を行なった時）である。このとき、コンテンツの注文ページ・予約ページなどに利用者が入力した氏名、住所などの情報が顧客マスタ１３７に登録される。顧客マスタ１３７の情報は、必要に応じて出展者端末１４０の顧客情報データベース１４５にダウンロードされ、出展者が自己の顧客の情報を管理・運用することができる。
会員マスタ１３６は、利用者が「会員」として登録されるデータベースである。利用者が「会員」となるのは、利用者が検索用サイトの会員登録をした時である。このとき、会員ＩＤやパスワード、会員の個人情報などが会員マスタ１３６に登録される。本実施形態においては「会員」になった利用者には、利用履歴データベース１３４へのお気に入りの登録や、利用履歴の閲覧をする権利が与えられる。これにより、例えば後述する「マイページ」などの会員向けサービスを利用できる。
出展者マスタ１３８は、出展者の情報を登録しているデータベースである。本実施形態においては、出展者マスタ１３８に登録された者のみが、コンテンツの提供や、各データベースへのデータの登録やデータのダウンロードなどを行なうことができる。
商品マスタ１３９は、出展者の商品・サービスの情報を登録するデータベースである。出展者は後述のアップローダー１４４を用いて自分の商品・サービスの情報（例えば商品名、価格、販売期間、販売方法など）を商品マスタ１３９に登録したり、データの閲覧などを行なうことができる。
上記の各データベースおよびライブラリについては、後で詳しく説明する。
【００２６】
出展者端末１４０は、出展者が使用する端末である。出展者端末１４０において、アップローダー１４４は、その出展者のコンテンツ１４１（電子パンフレットデータ１４２および電子パンフレットインデックス１４３で構成されている）を作成・更新して共有データサーバ１３０に登録したり、商品やサービスを商品マスタ１３９に登録したり、商品やサービスへの注文や予約を管理したり、共有データサーバ１３０の取引履歴トランザクション１３５や顧客マスタ１３７などからデータを出展者端末１４０にダウンロードして取引履歴や顧客情報の管理や運用などを行なう情報システムである。ダウンロードしたデータは、顧客情報データベース１４５および取引履歴データベース１４６に格納される。
利用者端末１５０は、利用者が使用する端末である。利用者端末１５０では、検索用サイトでのコンテンツの検索、電子パンフレットの閲覧、商品やサービスの利用（注文や予約など）を行なう。検索用サイトの各ページおよび電子パンフレットの各ページは、Ｗｅｂサーバ１２０のＷｅｂアプリケーション１２１で生成され、利用者端末に送信されて、ブラウザ１５１に表示される。
なお、本実施形態では、出展者端末１４０および利用者端末１５０は通常のパソコンや携帯情報端末などを想定しているが、端末の種類はこれに限られない。また、出展者端末１４０および利用者端末１５０における外部記憶媒体１４７，１５２は、コンテンツやデジタルマップ、各データベースのデータなどを記憶して、他の端末で利用できるようにするための記憶媒体である。
本実施形態においては、上記の図１に示すように、出展者（情報提供者）によるコンテンツの登録から利用者によるコンテンツの検索までを統括されたシステムで管理しているため、出展者と利用者の情報の共有が容易に実現できる。
【００２７】
＜２．デジタルマップ＞
（２−１．ステージの構成）
本実施形態では、デジタルマップを９つの階層（以降「ステージ」と呼ぶ）で構成していて、それぞれのステージについてデジタルマップの画像ファイルを用意している。このうち、ステージ１〜８のデジタルマップはそれぞれ地図の精度が異なる画像ファイルであり、ステージ数が上がるほどデジタルマップの精度は高い。ステージ９は各々のコンテンツの専用マップであり、出展者が自由に作成することができる。また、ステージ１〜９のデジタルマップには、コンテンツ（電子パンフレット）の位置を点や線、エリアなどで表示することができ、その所在を明らかにすることができる。
以降、まずステージ１〜８を説明し、次に、ステージ９を説明する。
【００２８】
図２は、デジタルマップの各階層（ステージ１〜ステージ９）の画面表示単位を示す表である。画面表示単位とは、端末の画面（出展者端末１４０のアップローダー１４４や利用者端末１５０のブラウザ１５１）にデジタルマップを表示するおおよその表示単位である。
図２に示すように、ステージ１「Ｗｏｒｌｄ」は最上位のステージであり、画面表示単位は世界（全世界）である。すなわち、ステージ１のデジタルマップを端末の画面に表示すると、全世界が表示される。
ステージ２「Ｕｎｉｖｅｒｓａｌ」は、「大陸」を画面表示単位としている。本実施形態では、「ヨーロッパ」「アジア」「中近東」「アフリカ」「オセアニア」「北アメリカ」「南アメリカ」とする。ステージ２のデジタルマップを端末の画面に表示する場合、例えばアジア周辺が表示される。
ステージ３「Ｉｎｔｅｒｎａｔｉｏｎａｌ」は「日本」「中国」「韓国」など（ステージ２が「アジア」の場合）の各「国」を画面表示単位としている。ステージ３のデジタルマップを端末の画面に表示する場合、例えば日本周辺が表示される。
ステージ４「Ｃｒｏｓｓ  ｃｏｕｎｔｒｙ」は「北海道」「東北」「甲信越北陸」「関東」「東海」「関西」「中国」「四国」「九州」「沖縄」など（ステージ３が「日本」の場合）の各「地域」を画面表示単位としている。ステージ４のデジタルマップを端末の画面に表示する場合、例えば東海周辺が表示される。
ステージ５「Ｃｏｕｎｔｒｙ」は「東京」「神奈川」「埼玉」「千葉」「茨城」「栃木」「群馬」「山梨」など（ステージ４が「関東」の場合）の各「都道府県」を画面表示単位としている。ステージ５のデジタルマップを端末の画面に表示する場合、例えば東京都周辺が表示される。
ステージ６「Ｃｉｔｙ」の画面表示単位は各都道府県内の「市区郡」である。ステージ６のデジタルマップを端末の画面に表示する場合、例えば東京都豊島区周辺が表示される。
ステージ７「Ｔｏｗｎ」の画面表示単位は各市区郡内の「区町村」である。ステージ７のデジタルマップを端末の画面に表示する場合、例えば東京都豊島区東池袋周辺が表示される。
ステージ８「Ｓｔｒｅｅｔ」の画面表示単位は区町村をさらに分割した詳細（地域にもよるが、例えば「番地」）である。ステージ８のデジタルマップを端末の画面に表示する場合、例えば東京都豊島区東池袋３丁目１番地周辺が表示される。
なお、ステージ１〜８のステージ構成や画面表示単位は本実施形態における例であり、システムに応じて決定してよい。
【００２９】
ステージ９「Ｈｏｍｅ」は上述のステージ１〜８とは異なり、コンテンツごとの専用マップである。出展者は、必要に応じて例えば自分のコンテンツの位置までの道案内や、サービスを提供しているエリアなどの情報を表示した専用マップを作成することができる。
専用マップの作成は出展者端末１４０のアップローダー１４４に機能を用意しておき、それを用いて行なう。例えば、デジタルマップ・サーバ１１０のデジタルマップ１１１からそのコンテンツに適した階層および範囲のデジタルマップを出展者端末にダウンロードして、そのマップ上にアイコン（例えばコンビニエンスストアや公共機関などを示すアイコン）やテキストなどを自由に貼り付けて作成する。なお、アイコンの画像ファイルはシステムであらかじめ用意しておき、出展者が選択できるようにするとよい。作成した専用マップは、その出展者専用のステージ９のデジタルマップとしてデジタルマップ１１１に登録する。
【００３０】
（２−２．デジタルマップの構成と画面への表示）
本実施形態においては、ステージ１〜８の各ステージについて、全世界を範囲とするデジタルマップの画像ファイルを用意するものとするが、実用に応じて、例えば日本のみステージ８までのデジタルマップを持ち、他の国についてはステージ５までなどとしてもよい。また、本実施形態の各ステージのデジタルマップには次の（１つ下位の）ステージの地名等のテキストが含まれている。例えば、ステージ５（画面表示単位が都道府県）のデジタルマップには市区町村（ステージ６の画面表示単位である）の名称が表示されている。これにより、出展者や利用者が見やすい地図となっている。
本実施形態では、ステージ１〜８のデジタルマップは全て、同じ大きさの画像ファイルに分割されて、デジタルマップ・サーバ１１０のデジタルマップ１１１に格納されている。
本実施形態のデジタルマップの分割は次のとおりである。まず、各ステージのデジタルマップの画像ファイルを一定の大きさの画像ファイル（以降「デジタルマップ片」という）に分割する。この分割単位を「フィールド」と呼ぶ。
各ステージのデジタルマップは、デジタルマップ片のサイズ（大きさ）が、ステージに関わらず、図２に示した画面表示単位を目安として、出展者が使用するアップローダー１４４の画面や、利用者が使用する検索用サイトのページに表示する大きさ（例えば、幅６４０ピクセル×高さ４８０ピクセルなど）になるように作成されている。
各デジタルマップ片には「フィールドＮｏ．」が振られる。「フィールドＮｏ．」は、ステージに関わらず全てのフィールドに対してユニークなＩＤ（番号など）を振るようにする。すなわち、「フィールドＮｏ．」によりステージとフィールドを識別するこことができるようにする。例えば、ステージが下位になるに従ってツリー形式にＩＤを振るものとする。この場合、ステージ１はフィールドが１つなのでフィールドＮｏ．は「１００００００００」、ステージ２のフィールドが例えばステージ１のフィールド（全世界）に対して縦３×横３に分割したものである場合、フィールドＮｏ．は「１１０００００００」〜「１９０００００００」、同様にステージ３のフィールドＮｏ．は「１１１００００００」〜「１９９００００００」、…ステージ９のフィールドＮｏ．は「１１１１１１１１１」〜「１９９９９９９９９」などとする。なお、このＩＤは一例である。
【００３１】
次に、各デジタルマップ片をさらに一定のサイズの画像ファイル（以降「デジタルマップ小片」という）に分割する。本実施形態においては、各デジタルマップ片を縦１２×横１２に等分に分割した各画像ファイルが、デジタルマップ小片である。この分割単位を「サブフィールド」と呼び、各デジタルマップ小片には「サブフィールドＮｏ．」（例えば、１〜１４４の番号）が振られる。従って「フィールドＮｏ．」と「サブフィールドＮｏ．」により全てのデジタルマップ小片を一意に識別することができる。
このデジタルマップ小片が、デジタルマップ・サーバ１１０のデジタルマップ１１１に格納される単位である。各デジタルマップ小片は、「フィールドＮｏ．」「サブフィールドＮｏ．」および「緯度・経度」（例えばデジタルマップ小片の左上頂点の位置に対応する緯度・経度）などの位置情報とともに、デジタルマップ１１１に格納されている。
図３に示している３００は、画面へのデジタルマップ表示の一例（ステージ５での表示例）である。画面への表示処理は、デジタルマップ・サーバ１１０のデジタルマップ・システム１１２で行なう。上述したように、各デジタルマップ小片は「フィールドＮｏ．」「サブフィールドＮｏ．」とともに、デジタルマップ１１１に格納されているため、デジタルマップ１１１から必要なデジタルマップ小片を読み出して、図３に示すように縦１２×横１２に並べて表示することができる。また、出展者や利用者は、端末でのクリックなどの簡単な操作で、画面に表示されたデジタルマップを、デジタルマップ小片の単位で上下左右（東西南北）に移動させることができる。本実施形態では、デジタルマップ・システム１１２の機能により、端末でクリックされたデジタルマップ小片が画面表示の中央（例えば、図３に３５０で示している７行６列目の位置を画面表示の中央とする）に来るように、再び必要なデジタルマップ小片をデジタルマップ１１１から読み出して縦１２×横１２に並べて表示する。
本実施形態では、コンテンツをＷｅｂサーバ１２０に登録する際に、必ずそのコンテンツの位置情報（「フィールドＮｏ．」「サブフィールドＮｏ．」「緯度・経度」など）を電子パンフレットインデックス１３３に登録する。このため、検索結果を利用者端末１５０のブラウザ１５１に表示する際に、画面に表示したデジタルマップ上にコンテンツの位置を点や線などで表示することができる。また、ある位置（例えば、画面に表示されているデジタルマップの中心の位置）からコンテンツまでの距離を計算することもできる。
【００３２】
（２−３．デジタルマップ上へのコンテンツの表示）
本実施形態では、画面に表示したデジタルマップ上に、コンテンツ（電子パンフレット１３２）の位置を表示することができる。これは、上述したように、電子パンフレットインデックス１３３にその電子パンフレット１３２の位置情報を有していることにより実現される。例えば、検索結果のコンテンツを画面のデジタルマップ上に表示すれば、利用者はコンテンツの位置を把握しやすい。
検索されたコンテンツの位置を画面のデジタルマップ上に表示するにあたって、どのステージ以降のデジタルマップにコンテンツを表示するかは、本実施形態では次のようにする。まず、ポイント・コンテンツは、検索結果のコンテンツの件数が一定以下になった時点で表示されているステージ以降のステージで表示するようにする。また、ライン・コンテンツおよびエリア・コンテンツについては、コンテンツによって適する表示ステージはあらかじめ決まるため（例えばエリア・コンテンツの場合、コンテンツによって、対象のエリアが例えば日本全国であったり、ひとつの商店街であったりする）、該当するステージで表示する。
また、本実施形態においては、検索されたコンテンツを画面表示する際に、それらの順位（例えばアクセスランキングなど）を表示することができる。本実施形態では、例えばそのコンテンツに対応する電子パンフレットへの現在までの全利用者からのアクセス数により「１等星」〜「５等星」の５段階に分けて明るさの異なる星を表示する。コンテンツごとのアクセス数および５段階の星の画像ファイル（５種類）は、例えば共有データサーバ１３０に格納する。Ｗｅｂアプリケーション１２１は検索結果のコンテンツのアクセス数を共有データサーバ１３０から読み出し、それぞれのコンテンツのアクセス数に対応する等星の画像ファイルを共有データサーバ１３０から読み出して、デジタルマップ上に表示する。
本実施形態におけるアクセスランキングの表示例を図５０に示す。画面に表示されたデジタルマップ５０００には検索結果のコンテンツの名称と位置を示す、小さい黒丸の画像ファイルが表示されている。これらのうち、アクセス数があらかじめ決められた「１等星」〜「５等星」に該当するコンテンツには、黒丸の画像ファイルの代わりに星の画像ファイルを表示する。図５０においては、「渡部花店」５０１０に１等星、「笹山ふとん店」５０２０に２等星、「畳工房」５０３０に３等星、「新條ブックス」５０４０に４等星、「楽遊喫茶」５０５０に５等星の画像ファイルが表示されている。
【００３３】
＜３．カテゴリ構成＞
本実施形態では、コンテンツをＷｅｂサーバ１２０に登録する際に、「カテゴリ」を指定して登録する。カテゴリの構成はあらかじめ決められている。本実施形態のカテゴリは、メイン・カテゴリである「クラス１カテゴリ」と、クラス１カテゴリをさらに詳細に分けたサブ・カテゴリである「クラス２カテゴリ」とで構成されている。
図４は、本実施形態におけるクラス１カテゴリの構成例である。図４に示すように、本実施形態では「情報・通信」「交通」「観光」「フード」「住まい・暮らし」「娯楽・趣味」「医療・美容」「スポーツ・健康」「教育・資格」「サービス・相談」の、１０個のクラス１カテゴリがある。各クラス１カテゴリには、０〜９の「クラス１カテゴリＮｏ．」が振られている。
また、図５はクラス１カテゴリ「観光」（クラス１カテゴリＮｏ．は「２」）に対応するクラス２カテゴリの構成例である。「観光スポット」「ツアー」「ホテル・旅館」「ペンション・民宿」「テーマパーク」「温泉」「その他」の７個のクラス２カテゴリがあり、各クラス２カテゴリには、１〜６，および９（「その他」）の「クラス２カテゴリＮｏ．」が振られている。なお、図４および図５に示した構成は本実施形態における例であり、カテゴリはシステムに応じて自由に決定してよい。
本実施形態では、コンテンツをＷｅｂサーバ１２０に登録する際に、コンテンツを所属させたいカテゴリを選んで登録する。このため、利用者がコンテンツを検索する際にカテゴリを検索条件とすることができ、目的のコンテンツを探しやすい。
【００３４】
＜４．名称変換テーブル＞
本実施形態では、コンテンツのカテゴリに関わらず、電子パンフレットインデックス１３３の項目を統一化している。この統一化のために、電子パンフレットインデックス１３３の各項目のうち、いくつかの項目（本実施形態では、時刻（Ｔｉｍｅ）、時間（Ｔｅｒｍ）、金額（Ｍｏｎｅｙ）に関する項目である）に対して、カテゴリ（クラス１カテゴリ×クラス２カテゴリ）ごとにあらかじめ項目の内容を決定している。Ｗｅｂサーバ１２０に格納されている名称変換テーブル１２３は、電子パンフレットインデックス１３３の項目名と、カテゴリごとに決められている項目名との対応を管理しているテーブルである。
図６は、名称変換テーブル１２３の一部の例である。最左列は電子パンフレットインデックス１３３の項目名である。なお、Ｔｉｍｅ，Ｔｅｒｍ，Ｍｏｎｅｙの数（１〜Ｎ）はシステムに応じて決定してよいし、項目もこの３つに限られない。
図６に示す例では、例えばクラス１カテゴリＮｏ．が「１」（交通）でクラス２カテゴリＮｏ．が「２」（バス）の場合、電子パンフレットインデックス１３３の項目「Ｔｉｍｅ１」「Ｔｉｍｅ２」はそれぞれ始発時刻、終発時刻を、「Ｔｅｒｍ１」は営業時間を、「Ｍｏｎｅｙ１」は運賃を示している。また、クラス１カテゴリＮｏ．が「１」（観光）でクラス２カテゴリＮｏ．が３（ホテル・旅館）の場合、電子パンフレットインデックス１３３の項目「Ｔｉｍｅ１」「Ｔｉｍｅ２」はそれぞれチェックイン時刻、チェックアウト時刻を、「Ｔｅｒｍ１」は営業時間を、「Ｍｏｎｅｙ１」は宿泊料金を示している。これらの対応付けが必要な全てのカテゴリについて、同様に名称変換テーブル１２３に登録しておく。
上記により、コンテンツのカテゴリごとに電子パンフレットインデックス１３３を別々に用意する必要がなく、電子パンフレットインデックス１３３を統一化することができる。また、名称変換テーブル１２３にカテゴリごとの項目名を格納しているため、出展者がコンテンツを登録する登録画面や、利用者がコンテンツを検索する検索用サイトのページなどに、カテゴリに応じて「チェックイン時刻」「チェックアウト時刻」「営業時間」「宿泊料金」などの項目名を表示することができる。
また、時刻（Ｔｉｍｅ）、時間（Ｔｅｒｍ）、金額（Ｍｏｎｅｙ）に関する項目を統一化しているため、検索用サイトでこれらの項目を検索キーとすることができる。利用者はカテゴリや場所の指定をしなくても、時刻・時間・金額のいずれかを（または組み合わせて）指定して、検索結果を絞り込むことが可能である。すなわち、場所やカテゴリにこだわらす、「△時に空いているお店」や「価格が○○円以内の商品（サービス）」といった検索ができる。なお、検索用サイトについては後で詳しく説明する。
【００３５】
＜５．マルチランゲージ・テーブル＞
マルチランゲージ・テーブル１２４は、利用者端末１５０への検索用サイト表示の際に、多国語表示をするための言語変換テーブルである。図７は、マルチランゲージ・テーブル１２４の例である。図７に示すように、本実施形態の情報共有システムで使用する単語（例えば、画面に表示する言葉や電子パンフレットインデックス１３３の項目など）について、あらかじめ各国語での訳語を登録しておく。
【００３６】
＜６．電子パンフレットインデックス＞
次に、電子パンフレットインデックス１３３について説明する。
電子パンフレットインデックス１３３の各項目は、利用者が検索用サイトで電子パンフレット１３２を検索する際の検索キーとなる。また、電子パンフレット１３２の各ページへの表示内容にもなる。
電子パンフレットインデックス１３３は「ベース・プロパティ」、「サービス・プロパティ」、および「追加プロパティ」で構成されている。ベース・プロパティとは、コンテンツ登録の際に必要とされる項目群であり、例えばデジタルマップ上の位置情報や、出展者の情報、コンテンツが属するカテゴリなどの項目である。サービス・プロパティとは、カテゴリ（クラス１カテゴリ×クラス２カテゴリ）ごとに定められた項目群である。例えば、カテゴリが「観光」−「ホテル・旅館」であれば、各部屋に関する情報（部屋の種類、設備や宿泊料金など）などが、サービス・プロパティの項目である。追加プロパティは、各情報出展者が自由に入力できる項目群であり、ベース・プロパティやサービス・プロパティであらかじめ決められている項目以外の情報を提供したい場合に使用できる。
また、電子パンフレットインデックス１３３に登録するコンテンツには「ポイント・コンテンツ」「ライン・コンテンツ」「エリア・コンテンツ」がある。ポイント・コンテンツとは、例えば宿泊施設や駅などデジタルマップ上で点で表現することができるコンテンツである。ライン・コンテンツとは、例えば交通機関の路線などデジタルマップ上で２つ以上の点（ポイント）を結んだ線として表現することができるコンテンツである。エリア・コンテンツとは、例えばデリバリーサービスにおける配達可能エリアなど、デジタルマップ上で３つ以上の点（ポイント）で囲まれた領域として表現することができるコンテンツである。
ポイント・コンテンツ、ライン・コンテンツ、エリア・コンテンツはそれぞれ、上述のベース・プロパティ、サービス・プロパティ、追加プロパティで構成されている。
【００３７】
（６−１．ベース・プロパティ）
まず、ベース・プロパティについて説明する。本実施形態のベース・プロパティは、ＩＤ、バージョン、位置情報、出展者基本情報、出展カテゴリ、キーワード、ダイレクトアクセスコード、リレーションコードの各項目群で構成されている。図８は、ポイント・コンテンツにおけるベース・プロパティの項目を示した表である。
（１）ヘッダー項目
「ＩＤ−Ｎｏ．」は、各ポイントに付されるユニークなＩＤである。これは、情報登録時にサーバで自動的に付すようにするとよい。
（２）位置情報
コンテンツの位置情報に関する項目群である。
「ロケーション・コード」はあらかじめ区分されているロケーション（例えば「東京都豊島区東池袋３丁目」など）に対して付されているコードである。「ロケーション」はロケーション・コードに対応した名称である。「フィールドＮｏ．」「サブフィールドＮｏ．」は、上述のデジタルマップの項で説明した通り、デジタルマップ上の位置である。「グローバルポジション」は緯度および経度である。なお、これらの項目の値を出展者が自分で登録するのは困難なため、画面常時されたデジタルマップ上で指定したり、住所を入力したりすることにより、自動的に付されるようにするとよい。
【００３８】
（３）出展者基本情報
出展者の情報に関する項目群である。
「出展タイトル」および「出展タイトルヨミガナ」は、コンテンツの名称とその読み仮名である。出展者の住所や電話番号などの情報は、「郵便番号」「住所」「住所ヨミガナ」「電話番号」「ＦＡＸ番号」の各項目に格納される。「営業日・休日」は出展者の営業日および休日を示し、例えば曜日ごとの項目を用意し、それぞれが営業日であるか休日であるかを格納する。「Ｔｉｍｅ」はそのコンテンツの時刻に関する項目（例えばカテゴリが「観光」−「ホテル・旅館」の場合、Ｔｉｍｅ１はチェックイン時間、Ｔｉｍｅ２はチェックアウト時間）である。「Ｔｅｒｍ」はそのコンテンツの期間に関する項目（例えばカテゴリが「ホテル・旅館」の場合、Ｔｅｒｍ１は営業時間）である。各々の項目（１〜Ｎ）がカテゴリごとに何を示すかは、上述したようにあらかじめ決定されており、その名称は名称変換テーブル１２３で管理されている。なお、これらの項目は出展者が登録画面などのテンプレートに従って登録するとよい。
「電子パンフレットファイル名」は出展者の電子パンフレットのトップ画面（最初に表示される画面）のファイル名（電子パンフレットデータ１３２におけるファイル名）である。この項目により、電子パンフレットインデックス１３３と電子パンフレットデータ１３２とが関連付けられている。「電子パンフレットファイル名」はシステムで自動的に付すようにするとよい。
「メッセージ」はコンテンツの概要を短い文章で示したものであり、例えば出展者が自分でテキストを作成する。
【００３９】
（４）出展カテゴリ
上述したように、コンテンツを登録する際にはコンテンツが属するカテゴリを決める必要があるため、それに関する項目群である。本実施形態では、コンテンツをその利用目的により「ショッピング」（例えば商品の注文ができるコンテンツ）と「リザーブ」（例えばサービスの予約ができるコンテンツ）の２種類に分類している。「ショッピング」「リザーブ」のいずれにも該当しないもの（例えば、単に情報を閲覧するためのコンテンツ）を含め、全てのコンテンツは「Ａｌｌ」に分類される。
「カテゴリ」は、コンテンツが「Ａｌｌ」に分類されるものである場合の、該当するカテゴリ（クラス１カテゴリおよびクラス２カテゴリ）である。そのコンテンツに該当するカテゴリは１つとは限らないため、項目は複数（１〜Ｎ）用意するとよい。同様に「ショッピングカテゴリ」はコンテンツが「ショッピング」に分類されるものである場合のカテゴリであり、「リザーブカテゴリ」はコンテンツが「リザーブ」に分類されるものである場合のカテゴリである。カテゴリは、出展者が自分で決めて登録することとする。
なお、カテゴリは、「Ａｌｌ」「ショッピング」「リザーブ」のいずれか１つを登録しても、２つ以上登録してもよいが、少なくとも１つ登録する必要がある。また、システムに応じて上記以外の分類を設けてもよい。
【００４０】
（５）キーワード
「キーワード」はコンテンツをキーワード検索する際のキーワードを登録する項目である。キーワードは、例えばあらかじめ定められた文字数（例えば８文字）以内で出展者が自由に決定することとする。項目は複数（１〜Ｎ）用意するとよい。
（６）ダイレクトアクセスコード
「ダイレクトアクセスコード」は、コンテンツを、コンテンツにユニークなコード（例えば４桁の数字）で検索するための項目である。この項目により、利用者が目的のコンテンツのダイレクトアクセスコードを知っている場合には検索の手間を軽減することができる。ダイレクトアクセスコードは、例えば出展者が希望のコードを申請し、システムで重複が無いことなどを確認して登録するとよい。
（７）リレーションコード
このコンテンツに他のポイント・コンテンツ、ライン・コンテンツ、エリア・コンテンツを関連付けたい場合に登録する項目群である。
関連付けたいポイント、ライン、エリアの「ポイントＩＤ」「ラインＩＤ」「エリアＩＤ」を例えば出展者が登録し、「ポイントリレーションコード」「ラインリレーションコード」「エリアリレーションコード」は自動的に付される。これらはそれぞれ複数（１〜Ｎ）登録できるようにするとよい。
【００４１】
以上は、図８（ポイント・コンテンツにおけるベース・プロパティの各項目）を参照しながら説明した。ライン・コンテンツおよびエリア・コンテンツについても同様であるが、上記（２）の位置情報の項目については異なっている。
図９は、ライン・コンテンツのベース・プロパティにおける位置情報の各項目である。「ラインタイプ」は、あらかじめ決められているラインの種類である。「スターティングポイントＩＤ」は、ラインの始点となるポイントのポイントＩＤである。「ターミナルポイントＩＤ」は、ラインの終点となるポイントのポイントＩＤである。「コンフィグレーションポイント数」はラインを構成するポイント（スターティングポイントとターミナルポイントを除く）の数である。「コンフィグレーションポイントＩＤ」はそれぞれのコンフィグレーションポイントのポイントＩＤである。「フィールドＮｏ．」「サブフィールドＮｏ．」「グローバルポジション」はそれぞれ、各コンフィグレーションポイントのフィールドＮｏ．、サブフィールドＮｏ．、緯度・経度である。
図１０はエリア・コンテンツのベース・プロパティにおける位置情報の各項目である。「エリアタイプ」はあらかじめ決められているエリアの種類である。「ベースポイントＩＤ」はエリアの外周を構成するポイントのうち、ベースとなるポイントのポイントＩＤである。「コンフィグレーションポイント数」はエリアの外周を構成するポイント（ベースポイントを除く）の数である。「コンフィグレーションポイントＩＤ」はそれぞれのコンフィグレーションポイントのポイントＩＤである。「フィールドＮｏ．」「サブフィールドＮｏ．」「グローバルポジション」はそれぞれ、各コンフィグレーションポイントのフィールドＮｏ．、サブフィールドＮｏ．、緯度・経度である。
上記のベース・プロパティにより、ポイント・コンテンツ、ライン・コンテンツ、エリア・コンテンツの主要な項目は、カテゴリに関わらず標準化されて、電子パンフレットインデックス１３３に格納される。このため、情報提供者が使用するアップローダーのコンテンツ登録用画面や、利用者が使用する検索用サイトのページを、上述の電子パンフレットインデックス１３３の項目に沿って定型化して用意することができる。これにより、出展者はコンテンツを容易に登録することができ、また、利用者は検索用サイトで目的のコンテンツを探しやすい。
【００４２】
（６−２．サービス・プロパティ）
上述したように、サービス・プロパティとは、カテゴリごとに定められた項目群である。例えば、カテゴリが「観光」−「ホテル・旅館」であれば、各部屋に関する情報（部屋タイプ、設備、宿泊料金などの項目）などである。図１１は、クラス１カテゴリが「観光」、クラス２カテゴリが「ホテル・旅館」の場合のサービス・プロパティの項目の例（各部屋に関する情報）である。また、金額（Ｍｏｎｅｙ）に関する項目（図１１ではＭｏｎｅｙ１（宿泊料金）を例示している）は検索用サイトでの検索対象となる。同様に、カテゴリに応じて、Ｔｉｍｅ（サービスの提供開始時刻），Ｔｅｒｍ（例えばサービスの提供時間帯），Ｄａｔｅ（例えばイベントの日付や商品の販売期間）の各項目を設けることができる。
本実施形態では、このように、Ｔｉｍｅ，Ｔｅｒｍ，Ｍｏｎｅｙ，Ｄａｔｅの各項目を標準化して、電子パンフレットインデックス１３３に格納している。このため、利用者はカテゴリや位置によるコンテンツの検索だけでなく、カテゴリや位置を指定しなくても、時間・日付・金額などを（単独、あるいは組み合わせて）自由に指定してコンテンツを検索することができる。
【００４３】
＜７．各データベースの構成＞
次に、共有データサーバに格納している各データベースの構成およびデータベースへのデータの登録や更新、データの利用例について説明する。
（７−１．マスタ）
図１２（ａ）〜（ｄ）は、共有データサーバの各マスタの主な項目を示した表である。これらを参照しながら、各マスタの構成、データの登録・更新、データの利用例について説明する。各マスタへのデータの書込みや読出しは、Ｗｅｂサーバ１２０のＷｅｂアプリケーション１２１および出展者端末１４０のアップローダー１４４からの要求により、共有データサーバ１３０内のデータベース管理プログラムで処理される。
（ａ）会員マスタ１３６
前述したように、会員マスタ１３６は利用者が検索用サイトの会員となった場合に登録されるマスタである。会員登録は、例えば検索用サイトに会員登録ページを用意し、登録時に会員を識別するＩＤとパスワード（これらの項目は利用者が決めても、システムでランダムに生成してもよい）を決定して会員マスタ１３６の「会員ＩＤ」「パスワード」に登録する。また、会員が後述の「顧客」である場合、もしくは「顧客」となった場合には、顧客マスタ１３７の「顧客ＩＤ」を読み出して会員マスタ１３６の「顧客ＩＤ」に登録する。「会員情報」は会員の個人情報（氏名・住所・電話番号などの個人情報）である。
本実施形態では、誰でも利用者として検索用サイトを使用することができるが、会員登録をすると、ＩＤとパスワードで識別されることにより、利用履歴データベース１３４の自分のデータを閲覧したり、データを登録・更新したりする権限を与えられる。例えば、自分のお気に入りの電子パンフレットや場所（例えば自宅や好きな場所の位置情報）を利用履歴データベース１３４に登録して、後述のマイページの機能を利用したり（自分の利用履歴やお気に入りを閲覧できる）、検索用サイトで自分が利用履歴データベース１３４に登録している場所からの距離を指定してコンテンツを検索したりすることができる。
【００４４】
（ｂ）顧客マスタ１３７
利用者が、初めて電子パンフレットから商品の注文やサービスの予約などを行なった際、自動的に顧客マスタ１３７に登録される。システムで自動的に生成したユニークなＩＤを「顧客ＩＤ」に登録する。また、顧客が前述の「会員」である場合、もしくは「会員」となった場合には、会員マスタ１３６の「会員ＩＤ」を読み出して顧客マスタ１３７の「会員ＩＤ」に登録する。「顧客情報」は、顧客の個人情報であり、商品の注文やサービスの予約に電子パンフレットの画面に入力されたものが自動的に登録される。
さらに、顧客ごとに「セカンドネーム」を持たせることもできる。セカンドネームはいわゆる「ハンドルネーム」と同様のものであり、例えば本名とは別の名前を利用者に自由に決めさせて、顧客マスタ１３７に登録する。セカンドネームの用途は、例えば利用者が出展者の商品の購入やサービスを利用する際に本名の代わりに用いるようにする。そうすれば、利用者の本名（およびその他の個人情報）を出展者に知られずに電子決済などの処理を行なうことができる。この機能は通常の商品の購入やサービスの利用にも役立つが、特に、オンラインでデータを購入する場合（例えば画像データや楽曲データなどを購入する）に有効である。
（ｃ）出展者マスタ１３８
出展者は、本実施形態の情報共有システムにコンテンツを提供するにあたって、事前に出展者マスタ１３８に登録される必要がある。出展者を識別するＩＤとパスワードがそれぞれ「出展者ＩＤ」「パスワード」に登録される。「出展者情報」は出展者の個人情報である。出展者はＩＤとパスワードで識別されることにより、各自の端末（アップローダー１４４）から共有データサーバ１３０内の各データベースの閲覧・更新等の権利を与えられる。
（ｄ）商品マスタ１３９
出展者が自分の商品やサービスを登録すると、その出展者の「出展者ＩＤ」と、例えば自動的に生成した「商品ＩＤ」を付して、商品マスタ１３９に登録される。「商品情報」は、商品（サービス）の名称、価格、販売期間（サービス提供期間）など、出展者が登録した情報である。商品マスタ１３９のデータは、例えば出展者がアップローダー１４４で販売計画や販売実績管理などを行なう際に利用される。
【００４５】
（７−２．取引履歴トランザクション１３５）
図１３は、共有データサーバの取引履歴トランザクション１３５の主な項目を示した図である。取引履歴トランザクションには、利用者が「顧客」として商品やサービスの利用（注文や予約）やキャンセル、質問などのメッセージを送信した場合に生成されるトランザクションを格納する。これらのトランザクションは、商品の注文やサービスの予約などの取引のやり取りにおいて利用される。図１３において「取引Ｎｏ．」はシステムで自動的に生成されるユニークな番号である。「取引日時」は、その取引があった年月日時分秒を格納する。「取引種別」はあらかじめ分類されている取引の種類であり、例えば「注文」「予約」「キャンセル」「メッセージ」などである。Ｗｅｂサーバ１２０のＷｅｂアプリケーション１２１や出展者端末１４０のアップローダー１４４は、取引種別に応じて、各種処理を行なう。「出展者ＩＤ」「商品ＩＤ」は取引の対象となった商品を特定するための項目である。「コンテンツＩＤ」「電子パンフレットファイル名」は、対象のコンテンツのコンテンツＩＤおよび電子パンフレットファイル名であり、電子パンフレットインデックス１３３の項目である。「ページＮｏ．」は取引を行なった（利用者が注文や予約などを入力した）電子パンフレット上のページの番号（電子パンフレットを構成する各ページに付された番号であり、電子パンフレット作成時に自動的に振るなどの方法で付けるようにするとよい）を格納する。「顧客ＩＤ」は利用者の顧客ＩＤである。「取引内容」は取引の内容であり、利用者が電子パンフレットの該当のページに入力した情報などが格納される。「取引内容」の内容は「取引種別」ごとに異なっている。例えば「注文」の場合は個数や価格、「メッセージ」の場合は送信するメッセージなどが「取引内容」に格納されることになる。
本実施形態においては、取引履歴トランザクション１３５のデータは、一定期間が経過したら削除する。このため、データを後々利用したい場合には、後述の利用履歴データベース１３４や出展者端末１４０の取引履歴データベース１４６にコピーして利用する。
【００４６】
（７−３．利用履歴データベース１３４）
利用履歴データベース１３４には、前述の取引履歴トランザクション１３５に格納されている「顧客」の利用履歴を、自動的または利用者の操作により登録したり、利用者が「会員」として自分のお気に入りの電子パンフレット１３２や場所などを登録したりする。図１４は、共有データサーバ１３０の利用履歴データベース１３４の主な項目を示した図である。取引履歴トランザクション１３５から登録する場合、および会員がお気に入りを登録する場合に関わらず、利用履歴データベース１３４の項目は統一化されている。このため、他の取引種別を追加する場合や、利用履歴データベース１３４のデータの利用先が増えた場合にも対応しやすい。
（ａ）取引履歴トランザクション１３５から登録する場合
図１４において、「顧客ＩＤ」は取引履歴トランザクション１３５の同項目である。「会員ＩＤ」には、顧客マスタ１３７の該当の顧客ＩＤが会員ＩＤを有している場合にその会員ＩＤを登録する。「利用日時」「利用種別」はそれぞれ、取引履歴トランザクション１３５の「取引日時」および「取引種別」である。「履歴Ｎｏ．」はシステムで自動的に生成する。「タイトル」〜「グローバルポジション」には何も登録しない。「コンテンツＩＤ」「電子パンフレットファイル名」「ページＮｏ．」は取引履歴トランザクションの同項目である。「ページ記入内容」は取引履歴トランザクション１３５の「取引内容」である。
（ｂ）会員がお気に入りを登録する場合
「顧客ＩＤ」「会員ＩＤ」はその会員の顧客ＩＤ（顧客マスタ１３７にも登録されている場合）および会員ＩＤである。「利用日時」は登録した年月日時分秒である。「履歴Ｎｏ．」はシステムで自動的に生成する。「利用種別」は、例えば、お気に入りとして登録するのが「電子パンフレット」であるか「位置情報」であるかなどの区分であり、各取引の値（取引種別）と重ならないよう、別の値にする。「タイトル」は会員が命名したタイトルである。「クラス１カテゴリ」〜「電子パンフレットファイル名」は、お気に入りの電子パンフレットを登録する場合には対応する電子パンフレットインデックス１３３の同項目を登録する。一方、お気に入りの場所を登録する場合には「クラス１カテゴリ」「クラス２カテゴリ」「コンテンツＩＤ」「電子パンフレットファイル名」には何も登録せず、「フィールドＮｏ．」〜「グローバルポジション」にはその位置の情報を登録する。また、「ページＮｏ．」「ページ記入内容」には何も登録しない。
【００４７】
（７−４．出展者端末での利用）
出展者は、上述のマスタやトランザクション、データベースの情報を、出展者端末１４０で利用することができる。具体的には、例えば次のような用途である。
（ａ）顧客情報の管理
その出展者の商品・サービスを利用した顧客の情報を、顧客マスタ１３７から例えばダウンロードなどの方法で取得して、出展者端末１４０の顧客情報データベース１４５に格納する。図１５は、顧客情報データベース１４５の項目を示す図である。「顧客Ｎｏ．」は、例えば出展者端末１４０のアップローダー１４４で自動的に振られるユニークな番号である。「顧客ＩＤ」は顧客マスタ１３７の同項目である。「顧客個人情報」は顧客マスタ１３７の同項目であるが、さらに、出展者が顧客管理をするための項目を設けてもよい。これにより、出展者は自己の顧客情報を閲覧したり加工したりすることができる。
顧客情報データベース１４５への顧客情報の登録や更新、登録している顧客情報の閲覧や管理などは、後述のアップローダー１４４の機能で行なう。
（ｂ）取引履歴の管理
その出展者の商品・サービスの取引履歴を、取引履歴トランザクション１３５から例えばダウンロードなどの方法で取得して、出展者端末の取引履歴データベース１４６に格納する。図１６は、取引履歴データベース１４６の主な項目を示す図である。各項目は取引履歴トランザクション１３５の同項目である。これにより、出展者は、顧客が自己の商品やサービスを利用した利用履歴を閲覧したり加工したりすることができる。
取引履歴データベース１４６への取引履歴の登録や、登録した取引情報の閲覧や管理などは、後述のアップローダー１４４の機能で行なう。
さらに、上述の顧客情報と取引履歴の組み合わせにより、様々な集計をとって、今後の販売計画に役立てることもできる。例えば、顧客の客層（年齢・性別・趣味など）ごとの取引内容（商品の種類、価格帯など）などといった集計を、容易にとることができる。また、例えば、顧客の取引実績に応じたワン・トゥ・ワン・マーケティングに役立てることもできる。
なお、上記（ａ）（ｂ）に示した用途は一例である。
【００４８】
（７−５．利用者端末での利用）
また、利用履歴データベース１３４の情報は利用者端末１５０でも閲覧・利用することができる。本実施形態では、会員ＩＤとパスワードを持つ「会員」に閲覧・利用の権利が与えられている。具体的には、例えば後述する「マイページ」での利用である。マイページは、その会員の利用履歴やお気に入りの電子パンフレットおよび位置情報を利用履歴データベース１３４から読み出して表示したページである。これにより、会員は自分がよく利用する情報を、再度の検索を必要とせずに利用することができる。なお、マイページについては後で詳しく説明する。
【００４９】
＜８．コンテンツの登録・更新＞
（８−１．コンテンツの初期登録）
例えば、申込用紙などでシステム管理者がコンテンツのベース・プロパティ（の一部）を初期登録する。また、出展者端末１４０のアップローダー１４４に登録画面を用意して出展者が各自で行うようにしてもよい。アップローダー１４４は、あらかじめ、出展者端末１４０にインストールしておく。
初期登録の後、ベース・プロパティの各項目の登録や変更、サービス・プロパティの登録・更新などは、アップローダー１４４の登録画面で、出展者が各自で行なう。
【００５０】
（８−２．アップローダーの機能）
アップローダー１４４の機能を、図１７に示す構成図を参照しながら説明する。図１７において、画面１７００は出展者端末１４０の表示装置（ディスプレイ）に表示するアップローダー１４４の各画面である。画面１７００にはサーバの各データベースやライブラリ（デジタルマップ１１１，電子パンフレット１３２，電子パンフレットインデックス１３３，利用履歴データベース１３４，取引履歴トランザクション１３５）、および出展者端末１４０の各データベースやライブラリ（電子パンフレット１４２，電子パンフレットインデックス１４３，顧客情報データベース１４５および取引履歴データベース１４６）から読み出したデータを表示する。また、これらのデータを登録・更新するためのボタンやテキストボックスなども表示する。
入力処理部１７１０は、画面１７００に入力された内容や、画面での操作などにより、上記の各データベースやライブラリからデータを読み出すためのＳＱＬ文等や、各データベースやライブラリを更新するためのＳＱＬ文等を生成して、一時記憶領域１７２０に格納する処理部である。送受信処理部１７３０は、一時記憶領域１７２０から上記のＳＱＬ文等を読み出して、通信装置に送信する。また、通信装置がサーバから受信したデータを、一時記憶領域１７２０に格納する。一方、データベース処理部１７４０は、一時記憶領域１７２０から出展者端末１４０の記憶領域１７５０に格納されている各データベース等を読み書きするためのＳＱＬ文等を読み出して、そのＳＱＬ文等に従って各データベースからデータを読み出して一時記憶領域１７２０に格納したり、データを更新したりする。
表示処理部１７６０は、一時記憶領域１７２０からデータを読み出し、画面１７００への表示データを生成する処理部である。
【００５１】
アップローダー１４４には、例えば次のような機能がある。これらの機能は、上述した図１７の各処理部での一連の処理により実現している。なお、これらの機能は一例であり、出展者の業種などにより、他にも様々な機能を用意することができる。
（１）電子パンフレットの作成・更新
（２）基本データの登録
（３）商品の登録
（４）販売計画の作成
（５）販売・予約の管理
（６）メッセージの送受信
（７）顧客管理
（８）位置情報の設定
（９）出展者情報の管理
以降、これら（１）〜（９）の機能を、図１７のアップローダーの機能図、図１８〜図２８に示すアップローダー１４４の画面および電子パンフレットの例を参照しながら説明する。
【００５２】
上記（１）〜（９）の機能を利用するには、まず出展者端末でアップローダーを起動する。アップローダーを起動すると、図１８に示すようなトップ画面が表示される。ここで最初に出展者に出展者ＩＤとパスワードを入力させて認証を行なうようにしてもよい。
図１８のトップ画面１８００において、「Ｐ」ボタン１８１１は、電子パンフレットの作成、更新を行なう画面に遷移するボタンである。「Ａ」ボタン１８１２は基本データの登録や、商品の登録を行なう画面に遷移するボタンである。「Ｍ」ボタン１８１３は、販売計画を立てる画面に遷移するボタンである。「ＰＨ」ボタン１８１４は、利用者からの注文・予約の管理を行なう画面に遷移するボタンである。「Ｌ」ボタン１８１５は顧客とのメッセージの送受信を行なう画面に遷移するボタンである。
「Ｅ」ボタン１８１６はイベントの管理を行なう画面である。イベントの管理とは、利用者からの注文・予約の現在のステータスや履歴などを管理・運用することである。「Ｔ」ボタン１８１７は、作成した電子パンフレットのプレビューを行なうボタンであり、サーバにアップする前の動作確認などを行なうことができる。また、画面中央には、電子パンフレットのトップページのサムネイル１８２０を表示している。
「Ｃｌｉｅｎｔ」ボタン１８３０は、顧客情報を登録・管理する画面に遷移するボタンである。「Ｍａｐ」ボタン１８４０は、位置情報の設定を行なう画面に遷移するボタンである。「Ｏｗｎｅｒ'ｓ  ｐｒｏｆｉｌｅ」ボタン１８５０は、出展者情報の登録・更新などを行なう画面に遷移するボタンである。
【００５３】
（１）電子パンフレットの作成・更新
図１８のトップ画面で「Ｐ」ボタン１８１１をクリックすると、電子パンフレットの作成・更新を行なう画面に遷移する。
本実施形態の電子パンフレットは、上述したように複数の表示画面で構成されており、各表示画面はフレーム（表示画面を分割するサイズ情報）でブロックに分割され、各ブロックにはページを表示する。ページには、例えば商品やサービスを紹介するページや、利用者が予約や注文を行なうための入力フォームを備えたページや、地図（例えばステージ９の専用マップ）を表示したページなどが考えられる。また、各ページのページ送りなどの自動再生を行なう機能を備えている。
ここでは電子パンフレットの各表示画面の構成、および各表示画面を構成する各ページのデータおよび自動再生のための自動再生情報を作成・更新することにより、電子パンフレットを作成する。
図１９は、電子パンフレットのパターンを選択するパターン選択画面１９００であり、電子パンフレットを新規作成する場合に表示される画面である。電子パンフレットのパターンは「ショッピング」「リザーブ」の種別やカテゴリなどに応じていくつかのパターン（テンプレート）があらかじめ用意されている。なお、各パターンは１つまたは複数の表示画面およびページで構成されている。
上述したように各ページはブロックに表示する。各ブロックには他の電子パンフレットのページを表示することもでき、他の電子パンフレットと情報を共有することもできる。ブロックは、さらに例えば各々のコントローラ（テキストボックスやボタンなど）を単位とする「ボックス」から構成されている。自動再生情報は、ブロックごと、ボックスごとにそれぞれ設定することができる。これにより、ブロックおよびボックスは独立して自動再生することができる。
図１９のパターン選択画面１９００において、パターン表示部１９１０にパターンのサムネイルと説明が表示されている。出展者がパターンを選択して「次へ」ボタン１９２０をクリックすると、図２０に示す電子パンフレット作成画面２０００に遷移する。
電子パンフレット作成画面２０００において、ページ一覧表示部２０２０には作成する電子パンフレット（パターン）のページのサムネイルが一覧表示され、パターン表示部２０３０にはそのパターンの名称やページ数などが表示されている。ページ一覧表示部２０２０で作成したいページを選択すると、ページ表示部２０９０に該当のページが表示され、ページ情報表示部２０８０にはページの容量・更新日・アップロード日などが表示される。
電子パンフレットを構成する各ページの作成は、タイトル等入力部２０４０にページのタイトルなどの情報を入力し、作成ツールボタン群２０５０で背景・文字・画像などの配置ツールを選択して、内容入力欄２０７０でページに表示する文字の入力や画像の選択などを行なう。
【００５４】
また、電子パンフレットの各ブロック（ページ）および各ボックスを再生表示するための自動再生情報は、エフェクト設定ボタン群２０６０の各ツールで作成・更新する。エフェクト設定画面の例を図５１に示す。図５１において、「パンフレット名称の変更」欄５１１０は、電子パンフレットの名称を変更する欄であり、右側のテキストボックスが名称の入力欄である。「ページスピードコントロール」欄５１２０は、電子パンフレットのページ送りの速度を設定する欄である。テキストボックスにページ効果終了後（そのページのエフェクトが終了した後）何秒後に次のページのエフェクトを開始するかを設定する。「ページ全体に適用」ボタン５１２１をクリックすると、ページスピードが入力した値に更新される。
「パンフレットページ単位の設定」欄５１３０は、各ページについてページタイトル、ページエフェクト、オートプレイの対象／非対象の設定、プレイ速度などを設定する欄である。最左列の「Ｎｏ」欄５１３１にはページごとに振られたページＮｏを、２列目の「画面」欄５１３２にはページのサムネイルを表示している。「ページタイトル」欄５１３３にはページのタイトルが表示され、ここで変更することができる。「ページエフェクト」欄５１４４は、そのページをどのエフェクトを用いて表示するかをページごとに選択する欄である。ページエフェクトは例えば「スライド」「ロール」「伸張」などのエフェクトがあらかじめ用意されているので、出展者はその中（および「エフェクトなし」）からページごとに１つずつ選択する。「オートプレイ」欄５１３５は、各ページを自動再生の対象にするかどうかを設定する欄である。出展者は電子パンフレットの自動再生で見せたいページのチェックボックスにチェックを入れる。ここでチェックされなかったページは自動再生されず、利用者のクリックなどの操作によって初めて表示される。「プレイ速度」欄５１３６は、各ページのエフェクトを何秒かけて表示するかを設定する欄である。なお、この値は自動再生時のデフォルト値であり、後述するページ表示速度の調節（利用者端末から操作する）により利用者が速度を調節することができる。「編集ロック」欄５１３７は、このページを編集対象にしない場合にチェックを入れる。チェックされたページは、利用者側からのページ表示速度の調節などができない。
これらの値を入力して、「ＯＫ」ボタン５１３８をクリックすると、入力した値で電子パンフレットデータ１４２を更新する。「キャンセル」ボタン５１３９をクリックすると、入力内容をキャンセルする。
【００５５】
また、本実施形態では、情報を他の電子パンフレットと共有することができる。具体的には、例えば自己の電子パンフレットの商品掲載ページと共に、その商品のメーカーである出展者が作成した商品紹介ページを表示することなどである。これは、上記の電子パンフレットの作成・更新を行なう画面で他の電子パンフレットのページを指定することにより実現できる。他の出展者の電子パンフレットのデータは共有データサーバ１３０に格納されているため、そこからページを閲覧して選択することができる。
このとき、他の電子パンフレットとの主従関係を指定することもできる。例えば、観光協会の電子パンフレットを「主」、各観光スポットの電子パンフレットを「従」とした主従関係などである。このように関連付けるためのコントローラ（ボタンやテキストボックス、一覧表など）は、例えば上記の電子パンフレットの作成・更新を行なう画面に用意する。関連付けの情報は、前述の図８〜図１０に示した電子パンフレットインデックス１３３の「リレーションコード」の欄に格納される。
最後に、「Ｐｒｅｖｉｅｗ」ボタン２０１０は作成した電子パンフレットを別ウィンドウに表示して再生などの確認を行なうためのボタンである。作成された電子パンフレットはまず出展者端末１４０の電子パンフレットデータ１４２に登録され、後でアップロード作業を行なって、共有データサーバ１３０の電子パンフレットデータ１３２に登録する。アップロードする際には、出展者ＩＤとパスワードによる認証を行なうとよい。
また、既に作成した電子パンフレットを更新する場合には、出展者端末１４０の電子パンフレットデータ１４２から電子パンフレットを読み出して、図２０の電子パンフレット作成画面２０００にて作成し、上記と同様に共有データサーバ１３０にアップロードする。
【００５６】
図２１〜図２７はある宿泊施設の電子パンフレットの例（予約機能を備えている例）である。
図２１はトップ画面の例である。トップ画面には例えば宿泊施設の名称やキャッチフレーズ、連絡先などを掲載する。この画面の例では、画面を上下２つのブロックに分割してそれぞれにページを表示している。図２２は交通案内を表示した画面の例である。２つに分割した下のブロックに交通案内のページを表示している。表示されている地図は、例えば上述した出展者の専用マップ（ステージ９のデジタルマップ）である。図２３は料理の案内を表示した画面の例である。図２２，２３の画面に表示されている情報は、電子パンフレット作成時に出展者が入力した情報である。また、図２４〜図２７は予約画面の例である。ここでも各画面を複数のブロックに分割して、各ページ（プラン紹介ページ、予約の入力ページ、空室状況の表示ページなど）を表示している。上述したように、本実施形態では電子パンフレットの各ページ（出展者が作成時に指定したページ）のページ送りを、出展者が選んだエフェクトで自動再生する。
図２４〜図２７の予約画面の例において、図２４では、サービス内容表示部２４１０は宿泊プランの説明が表示されている。宿泊プランの説明は、電子パンフレットを作成する際に出展者が入力した事項である。また、空室状況表示部２４２０には現在の空室状況を表示している。空室状況の表示は、電子パンフレットにあらかじめ備えられている機能である。利用者が宿泊設定入力部２４３０で宿泊日や宿泊人数などを入力し、次の画面（図２５）のオプション入力部２５３０でその他のオプションなどを選択して、「予約」ボタン２５４２をクリックすると、図２６に示す予約者情報入力画面を表示する。
さらに利用者は図２６の予約者情報入力画面で、個人・団体の別や、氏名・住所などの個人情報を入力する。「確認画面に進む」２６１０をクリックすると、図２７の確認画面に遷移し、表示された予約内容を確認して、訂正する場合は「内容の変更」ボタン２７１０をクリックして入力をやり直し、予約する場合には「送信する」ボタン２７２０をクリックする。「送信する」ボタン２７２０がクリックされると、取引種別が「予約」であるトランザクションが生成されて、共有データサーバ１３０の取引履歴トランザクション１３５に登録される。また、利用者がまだ「顧客」となっていない場合（本実施形態の情報共有システムで初めて商品の注文やサービスの予約などを行なう場合）には、図２６で個人情報の欄に入力された利用者の情報が、共有データサーバ１３０の顧客マスタ１３７に登録される。
【００５７】
電子パンフレットのページ送りの速度は、上述したように出展者が電子パンフレットの作成・更新時にページごとに指定することができる。Ｗｅｂサーバ１２０のＷｅｂアプリケーション１２１は、Ｗｅｂサーバ１２０と利用者端末１５０との回線の通信速度を測定し、その通信速度および指定されたページ送りの速度に従って、電子パンフレットの各ページを利用者端末１５０に送信する。なお、通信速度の測定には従来技術を用いる。例えば、あるサイズのファイルをＷｅｂサーバ１２０から利用者端末１５０に送信して、利用者端末１５０がそのダウンロードを終了するまでの時間を計測することにより、回線の通信速度を測定する方法などがある。
一方、利用者は自己の利用者端末１５０に表示された電子パンフレット上に表示されている速度調節用のコントローラにより、ページ送りの速度を調節することができる。電子パンフレット上に速度調節用のコントローラを表示させるかどうかは、例えば、出展者が電子パンフレットの作成・更新時に決められるようにする。
電子パンフレット上に速度調節用のコントローラを表示した例を、図５２に示す。図５２の電子パンフレットの画面は、フレームにより上下２つのブロックに分割され、上のブロック５２１０には、下のブロック５２２０に表示する各ページの名称（インデックス）を表示し、下のブロック５２２０に現在表示されているページのインデックス５２１１を他より大きく表示している。電子パンフレットは自動再生されているが、インデックス部５２１０の各インデックスをクリックすると、自動再生を停止して該当のページを下のブロック５２２０に表示する。
【００５８】
そして、ブロック５２２０に表示されるページの下部にはコントローラ５２３０が表示されている。再生調節ボタン群５２３１の各ボタンは、電子パンフレットの自動再生中に再生を一時停止したり、再生を再開したり、現在のページをスキップして（エフェクトの終了を待たずに）前後のページを表示したりするためのボタンである。これらのボタンがクリックされると、Ｗｅｂサーバ１２０のＷｅｂアプリケーション１２１はページの送信を一時停止したり、送信を再開したり、前後のページの送信をすぐに開始したりする。このように、利用者端末上で電子パンフレットの再生を調節することができる。
また、現在の自動再生の速度を、表示入力部５２３２に数字で表示し、速度表示部５２３３に視覚的に表示する。利用者が調節するまでは、出展者が決めた速度で自動再生され、速度表示部５２３３にもその速度が表示されている。利用者が再生速度の調節を行なうには、画面に表示されている５２３４，５２３５の各ボタンをクリックするかキーボードの矢印キーを押下する。再生速度を遅くしたい場合にはボタン５２３４をクリック、または「←」キーを押下し、速くしたい場合にはボタン５２３５をクリック、または「→」キーを押下する。また、速度表示入力部５２３２上で数字をクリックすると、対応する速度に切り替わる。これらのコントローラがクリックまたは押下されると、Ｗｅｂサーバ１２０のＷｅｂアプリケーション１２１は、利用者端末との回線の通信速度に従って、ページを利用者端末に送信する間隔を長くしたり（再生速度は遅くなる）、短くしたり（再生速度は速くなる）する。
【００５９】
（２）基本データの登録
図１８のトップ画面で「Ａ」ボタン１８１２をクリックすると、図２８に示す基本データ登録画面２８００に遷移する。基本データ登録画面２８００は、アップローダー１４４で商品・サービスの管理をするための各種設定をしたり、共有データサーバ１３０の電子パンフレットインデックス１３３へのデータの登録や更新を行なったりするための画面である。なお、共有データサーバ１３０の電子パンフレットインデックス１３３へのデータの登録や更新を行なう際には、出展者端末１４０の電子パンフレットインデックス１４３への登録や更新も行なわれ、双方は常に同じ状態になっている。以降についても、同様である。
基本データ登録画面２８００では「グループ」「プラン」「ランク」「単価」「Ｄレート（ディスカウントレート）」「カテゴリー」「オプション」「キーワード」「文書」「画像」の設定ができる。これらはそれぞれ「グループ」タグ２８０１〜「画像」タグ２８９１をクリックしてそれぞれの設定欄（図２８では「グループ」の設定欄２８０２）を表示し、入力欄（図２８では「グループ」の入力欄２８０３）に入力する。説明欄（図２８では「グループ」の説明欄２８０４）には説明や入力の仕方などのテキストが表示される。「更新」ボタン（図２８では「グループ」の「更新」ボタン２８０５）をクリックすると、設定内容を出展者端末１４０の記憶領域に記憶する。これらの設定はアップローダー１４４で使用される。なお、後述の「単価」「カテゴリー」「オプション」「キーワード」において「更新」ボタンをクリックした場合には、電子パンフレットインデックス１３３を更新する。「商品の登録へ」ボタン（図２８では「グループ」の「商品の登録へ」ボタン２８０６）をクリックすると、後述の図２９に示す商品登録画面２９００に遷移する。
「グループ」は、商品やサービスを分類するグループ、「プラン」は、商品やサービスのプラン（例えば宿泊プランなど）「ランク」は人気商品や注目商品などのランクを設定する設定欄である。ここで設定された情報は、例えば販売集計（アップローダーの機能である）に利用したり、電子パンフレットの作成時に読み出して使用することができる。
「単価」は商品・サービスの定価や単価などを設定する設定欄である。ここで設定された価格情報は、電子パンフレットインデックス１３３，商品マスタ１３９に登録される。「Ｄレート」は商品・サービスのディスカウントレートを設定する設定欄である。ディスカウントレートを設定した商品やサービスの価格は、単価からレート計算されて、電子パンフレットインデックス１３３，商品マスタ１３９に登録される。「オプション」は商品・サービスに付属する商品やサービス（例えば、宿泊施設のオプションサービス）の価格などを設定する設定欄である。
「カテゴリー」は、コンテンツのカテゴリーを選択する設定欄、「キーワード」は、コンテンツのキーワードを設定する設定欄である。ここで設定されたカテゴリーおよびキーワードは電子パンフレットインデックス１３３に登録され、検索用サイトでの検索対象となる。
「文書」は、商品・サービスの説明を入力する設定欄である。「画像」は商品・サービスの写真などの画像を加工（例えば、電子パンフレット用のサイズに変更する）して保存・管理するための設定欄である。これらの設定欄で設定された説明や画像は、例えば、電子パンフレットの作成時に表示用のテキストや画像として使用できる。
【００６０】
（３）商品・サービスの登録
図２８に示す基本データ登録画面２８００で「商品の登録へ」ボタン２８０６をクリックすると図２９に示す商品登録画面２９００に遷移する。商品登録画面２９００は、商品やサービスの情報を電子パンフレットインデックス１３３，商品マスタ１３９に登録・更新する画面である。
検索条件入力欄２９２０は、既に商品マスタ１３９に登録されている商品・サービスを検索するための検索条件を入力する欄である。条件を入力して「検索」ボタン２９２１をクリックすると、検索結果の一覧が検索結果表示欄２９３０に表示される。なお、商品・サービスの新規登録の場合には、検索結果表示欄２９３０に空欄の行が表示され、新規登録を行うことができるが、既に登録している商品・サービスを読み出してコピーし、修正することにより新規登録を行なうこともできる。
商品・サービスの登録・更新は、前述の基本データ登録画面での設定をもとに行なう。基本データの設定内容が、基本データ表示欄２９４０に表示されるので、グループ、ランク、単価、ディスカウントレート、カテゴリー、キーワード、文書、画像から必要に応じて選択し、商品・サービスの情報を設定する。基本データの登録をしたい場合には、「基本データの登録へ」ボタン２９４１をクリックすると、図２８の基本データ登録画面２８００に遷移する。
商品・サービスの設定が終了したら、「更新」ボタン２９５２をクリックすると、電子パンフレットインデックス１３３および商品マスタ１３９を更新する。
「印刷」ボタン２９５１は商品の情報をプリントアウトするためのボタンである。「登録条件の設定」ボタン２９１０は、商品の新規登録数や商品登録画面２９００への項目の表示などをコントロールするための設定画面を表示するボタンである。
【００６１】
（４）販売計画の作成
図１８のトップ画面で「Ｍ」ボタン１８１３をクリックすると、図３０に示すプランニング・販売計画画面３０００に遷移する。ここでは、登録した商品・サービスの販売計画を作成することができる。
まず、既に商品マスタ１３９に登録されている商品・サービスの検索を行なう。検索条件入力欄３０２０、「検索」ボタン３０２１、検索結果表示欄３０３０、「更新」ボタン３０５２、「印刷」ボタン３０５１、「登録条件の設定」ボタン３０１０については、前述の図２９の商品登録画面２９００と同じである。また、基本データ表示欄３０４０では基本データの設定内容を確認することができる。
商品を検索した後、検索結果表示欄３０３０から商品・サービスを選択して、「在庫登録へ」ボタン３０４２をクリックすると図３１に示す在庫登録画面３１００に遷移し、「プランニングへ」ボタン３０４３をクリックすると図３２に示すプランニング画面３２００に遷移する。
図３１は在庫登録画面の例である。設定項目欄３１１０には、在庫を割り当てる期間や曜日、および割り当てる在庫数を入力する。「実行」ボタン３１１１をクリックすると、設定項目欄３１１０に入力した内容で商品マスタ１３９を更新し、登録した在庫の一覧が在庫表示欄３１２０に表示される。在庫の一覧はタイトル別、プラン別に表示することができる。
図３２はプランニング画面の例である。設定項目欄３２１０には、プランニングする期間や曜日、および単価を入力する。単価のデフォルト値は商品・サービス登録時の単価であるが、変更したい場合にはここで入力することができる。「実行」ボタン３２１１をクリックすると、設定項目欄３２１０に入力した内容で電子パンフレットインデックス１３３および商品マスタ１３９を更新する。これらの項目は電子パンフレットインデックス１３３でのＴｅｒｍ項目、Ｄａｔｅ項目、Ｍｏｎｅｙ項目として登録され、検索用サイトでの検索対象となる。登録したプランの一覧は、プラン表示欄３２２０に表示される。プランの一覧はタイトル別、プラン別に表示することができる。
【００６２】
（５）販売・予約の管理
図１８のトップ画面で「ＰＨ」ボタン１８１４をクリックすると、図３３に示す販売・予約管理画面３３００に遷移する。この画面では、商品の仕入れや、利用者から受けた商品・サービスの注文や予約などをフェーズ（工程）ごとに管理できる。ここでは注文・予約の管理を例として説明する。
販売・予約管理画面３３００において、まず、ボタン群３３５０の「最新情報ダウンロード」ボタンをクリックすると、現在利用者から受けている注文・予約の情報を共有データサーバ１３０の取引履歴トランザクション１３５からダウンロードする。ダウンロードした内容が、販売・予約状況一覧３３６０に表示される。また、カレンダー表示欄３３４０には注文件数や予約件数などの情報が日ごとに表示される。販売・予約状況一覧３３６０に表示される商品やサービスの数が多い場合などには、商品抽出条件入力欄３３３０に抽出条件を入力して絞り込み表示を行なうことができる。また、カレンダー表示欄３３４０のカレンダー上で日をクリックすれば、その日の取引のみが表示される。表示設定欄３３２０は販売・予約状況一覧３３６０に表示する際の表示対象日や表示開始時間、表示時間の単位などを設定する設定欄である。また、販売・予約状況一覧３３６０の各行をクリックすると、顧客情報表示欄３３７０にその行に表示されている対象データの注文者・予約者の顧客情報が一覧表示される。この顧客情報は出展者端末１４０の顧客情報データベース１４５から表示される。予約や注文の受付を行ないたい場合には、ここで左端の予約受付欄にチェックを入れる。
ステータス更新欄３３１０は、それぞれの取引のステータスを段階的に更新するための更新欄である。例えば「未出荷商品」から「出荷済み商品」への変更、「予約未受付」から「予約受付済み」への変更などである。これらの各ステータスは、取引履歴トランザクション１３５の「取引種別」に対応しているが、本実施形態では、各取引種別のコード（例えばステータス更新欄３３１０に表示されている「未登録商品」のコード「０１」など）は、出展者が各自で自由に決めることができる。このコードと取引種別との関連付けは、アップローダーの機能で管理している。同様に、商品やサービスのコードを、共有データサーバ１３０の商品マスタ１３９の「商品ＩＤ」とは別に決めたり、商品の提供方法（例えば「取り置き」「配送」「貸し出し」など）のコードを自由に決めたりすることができる。
このように出展者が独自のコードで取引を管理することにより、第三者に取引の内容を知られにくくなり、取引の安全性が高まる。
これらの受付や更新を行なって、ボタン群３３５０の「最新情報アップロード」ボタンをクリックすると、取引履歴トランザクション１３５にトランザクションを追加したり、トランザクションの消しこみを行なったりする。
【００６３】
（６）メッセージの送受信
図１８のトップ画面で「Ｌ」ボタン１８１５をクリックすると、図３４に示すメッセージ送受信画面３４００に遷移する。この画面では、利用者からの送信メッセージを受信したり、返信メッセージを送信したりできる。
利用者が電子パンフレットのページに入力した質問文などのメッセージは、取引履歴トランザクション１３５に格納されている。メッセージ送受信画面３４００において、まず、ボタン群３４３０で「全て受信」ボタンをクリックすると、取引履歴トランザクション１３５に格納されているメッセージのうち、未受信のものを読み出して、出展者端末の取引履歴データベース１４６に格納する。ここに格納されたデータが、メッセージ送受信画面３４００に表示される。カレンダー３４１０には、各日の受信メッセージ件数、送信メッセージ件数が表示される。月別件数表示欄３４２０には、月間の送信メッセージおよび受信メッセージの件数が表示される。受信データ表示欄３４６０において、受信データ一覧３４６１には受信メッセージを一覧表示し、受信メッセージ表示欄３４６２には、受信データ一覧３４６１でクリックした受信メッセージの全文を表示する。受信データ一覧３４６１に一覧表示する受信メッセージは、受信データ抽出条件入力欄３４４０で抽出条件を指定することができる。また、カレンダーの日をクリックすると、その日の受信メッセージのみが一覧表示される。「印刷」ボタン３４６３は受信メッセージをプリントアウトするボタン、「削除」ボタン３４６４は受信メッセージを取引履歴データベース１４６から削除するボタンである。
【００６４】
送信データ表示欄３４７０も同様に、送信データ一覧３４７１には取引履歴データベース１４６に格納されている送信メッセージ（送信済みのものおよび未送信のもの）を一覧表示し、表示対象のメッセージは送信データ抽出条件入力欄３４５０やカレンダー３４１０で絞込みを行なうことができる。受信したメッセージに対して送信メッセージを作成するには、まず受信データ一覧３４６１からメッセージを選択して、送信メッセージ入力欄３４７２にメッセージを入力する。入力後「返信」ボタン３４７４をクリックすると、送信メッセージ（未送信）は取引履歴データベース１４６に格納され、送信データ一覧３４７１に表示される。「定型文書」ボタン３４７３は既に登録している定型文書を選択したり新しく定型文を登録するための画面を表示するボタンである。「クリア」ボタン３４７７は送信メッセージ入力欄３４７２に入力した内容をクリアするボタン、「印刷」ボタン３４７５は送信メッセージをプリントアウトするためのボタン、「削除」ボタン３４７６は送信データ一覧３４７１でクリックして選択した送信メッセージを取引履歴データベース１４６から削除するためのボタンである。
「送信」ボタン３４７８をクリックすると、送信データ一覧３４７１で現在選択されている送信メッセージをサーバに送信する。送信された送信メッセージは、取引履歴トランザクション１３５に格納され、利用者が参照することができるようになる。作成した送信データをサーバに全て送信したい場合には、ボタン群３４３０の「送受信」ボタンをクリックする。
【００６５】
（７）顧客管理
図１８のトップ画面で「Ｃｌｉｅｎｔ」ボタン１８３０をクリックすると、図３５に示す顧客情報管理画面３５００に遷移する。この画面では出展者が自己の商品・サービスを利用した顧客の管理を行なう。
顧客情報管理画面３５００において、まず、「Ｗｅｂ新規顧客データ取込」ボタン３５４４をクリックすると、取引履歴トランザクション１３５から出展者ＩＤが当該出展者であるものを検索して、その顧客の情報を顧客マスタ１３７から読み出し、出展者端末１４０にダウンロードして、顧客情報データベース１４５に登録する。顧客情報データベース１４５の内容は顧客情報一覧３５３０に表示される。検索インデックス３５２０への検索条件の入力により、絞り込んで表示することもできる。「表示項目の設定」ボタン３５１０は、顧客情報一覧３５３０に表示する項目を設定するための画面を表示するボタンである。
グループリスト３５５０は、顧客をグループ分けするためのリストで、各顧客に対して「エクセレント」「ゴールド」などの属性を与えることができる。「削除」ボタン３５４５は顧客情報データベース１４５から顧客データを削除するボタン、「更新」ボタン３５４７は顧客情報管理画面３５００の内容で顧客情報データベース１４５を更新するボタンである。また、電子パンフレットへの注文や予約の入力以外の方法で取引をした顧客は、自動的には顧客マスタ１３７および顧客情報データベース１４５に登録されないので、当該顧客を顧客情報データベース１４５に登録したい場合には、「新規入力」ボタン３５４６をクリックして新規入力画面を表示し、各項目を入力する。顧客の更新データや、新しく登録した顧客をサーバの顧客マスタ１３７にアップロードしたい場合には、「Ｗｅｂ顧客データアップロード」ボタン３５４３をクリックする。
また、サービス利用履歴表示欄３５６０には、顧客ごとの利用履歴を取引履歴データベース１４６から読み出して表示する。
【００６６】
（８）位置情報の設定
図１８のトップ画面で「Ｍａｐ」ボタン１８４０をクリックすると、図３６に示す位置情報設定画面３６００に遷移する。この画面では出展者がコンテンツの位置情報の登録や更新を行なう。
位置情報設定画面３６００において、デジタルマップ表示操作部３６１０でステージや場所を指定すると、デジタルマップ表示部３６３０に指定された場所のデジタルマップが表示される。デジタルマップは、本実施形態では、デジタルマップ・サーバ１１０のデジタルマップ１１１から読み出して表示するが、出展者端末にあらかじめデジタルマップ１１１およびデジタルマップ・システム１１２をダウンロード（インストール）しておいてもよい。次に、設定モードボタン群３６２０でコンテンツがポイント・コンテンツであるかライン・コンテンツであるかエリア・コンテンツであるかを選択する。デジタルマップ表示部３６１０上で位置を指定して「ホーム設定」ボタンをクリックすると、電子パンフレットインデックス１３３の位置情報項目を更新する。
【００６７】
（９）出展者情報の管理
図１８のトップ画面で「Ｏｗｎｅｒ  Ｐｒｏｆｉｌｅ」ボタン１８５０をクリックすると、出展者情報管理画面（図示せず）に遷移する。この画面では出展者が自分の情報を登録・更新する。出展者が名称・住所・連絡先などの項目を登録・変更すると、出展者マスタ１３８および電子パンフレットインデックス１３３の出展者情報項目を更新する。
また、出展者情報管理画面では営業時間、定休日などの項目を登録・更新することができ、電子パンフレットインデックス１３３のＤａｔｅ項目、Ｔｅｒｍ項目などを更新することができる。これらの項目は、利用者が検索用サイトコンテンツの検索を行なう際に用いられる。
検索用サイトにて出展者情報管理画面で登録された営業時間以外の時間帯や定休日が検索キーとして指定された場合に、そのコンテンツを検索結果の対象とするかどうかは、出展者が決めることができる。これらの情報を登録・更新するフォーカス設定画面を図４９に示す。
【００６８】
図４９において、「検索条件に制限なし」４９１０，「出展者情報の営業時間帯のみ検索可能とし、制限させる」４９２０，「以下の設定時間帯のみ検索可能とし、制限させる」４９３０の各ラジオボタンのいずれかを選択することにより、出展者が営業時間外等の検索の可否を決定する。３つの検索方法のうちどれが選択されたかの情報は、電子パンフレットインデックス１３３に登録される。
「検索条件に制限なし」４９１０を選択すると、そのコンテンツの営業時間以外の時間帯や定休日であっても、検索対象となる。「出展者情報の営業時間帯のみ検索可能とし、制限させる」４９２０を選択すると、出展者情報管理画面で登録された営業時間や定休日（これらの情報は電子パンフレットインデックス１３３の「営業日・休日情報」に登録される）に従って、そのコンテンツの営業時間以外の時間帯や定休日である場合には検索の対象外とする。「以下の設定時間帯のみ検索可能とし、制限させる」４９３０を選択すると、図５３のフォーカス設定画面での設定（営業時間や休業日の詳細な設定）に従って、そのコンテンツの営業時間以外の時間帯や休業日である場合には検索の対象外とする。ただし、上記はデフォルトの設定であり、上記にかかわらず、利用者が検索用サイトのフォーカス設定で時間や日付を指定した場合にはそれに従って検索される。
営業時間設定欄４９４０はそのコンテンツの通常の営業日と営業時間を入力する欄である。各曜日について営業日・休業日の別と、その曜日が営業日である場合の、営業開始時刻・営業終了時刻・休憩開始時刻・休憩終了時刻などを入力する。また、不定休日設定欄４９５０には臨時休業の日付を入力する。同様に、臨時営業日も入力できるようにするとよい。これらの設定欄に入力された内容は、電子パンフレットインデックス１３３にＤａｔｅ（日付）項目として登録される。カレンダー４９６０には、営業時間設定欄４９４０および不定休日設定欄４９５０に入力した営業日・休業日をカレンダーで見やすく表示している。
各設定欄に入力して「設定」ボタン４９７０をクリックすると、入力した内容で電子パンフレットインデックス１３３を更新する。「キャンセル」ボタン４９８０をクリックすると、入力した内容をキャンセルする。
【００６９】
以上のアップローダー１４４の各機能により、出展者はテンプレートに従った簡単な作業で、自分のコンテンツの作成・更新や、各データベースへのデータの登録やデータの閲覧・運用、顧客情報や取引履歴の管理などを行なうことができる。なお、上述したアップローダー１４４の各機能は一例である。
【００７０】
＜９．情報の検索＞
次に、利用者が利用者端末１５０で行なうコンテンツの検索について説明する。本実施形態では、検索用のウェブサイトをブラウザ１５１（例えばMicrosoft Internet Explorerなどの通常のブラウザ）に表示して、利用者端末１５０からの入力により、検索処理をＷｅｂサーバ１２０のＷｅｂアプリケーション１２１の機能で行なう。
ここでは、まず利用目的と検索方法を指定し、次に場所とカテゴリを選択してコンテンツを検索し、さらに金額（Ｍｏｎｅｙ）・距離（Ｄｉｓｔａｎｃｅ）・日付（Ｄａｔｅ）・時間（Ｔｉｍｅ）を指定して検索結果の絞り込みを行なう場合を例として説明する。
上述の検索例のフローを、図３７に示している。このフローは、左側に利用者の検索用サイトでの操作を示し、右側にサーバ（Ｗｅｂアプリケーション１２１）の検索処理を示している。以降、図３７のフロー、および図３８〜図４５の検索用サイトのページ表示例の図を参照しながら、検索処理を説明する。
なお、これらの検索フローおよび検索用サイトへの表示は一例である。ここに例示した全ての条件を指定する必要はなく、条件の組み合わせも自由であり、条件を指定する順序もこれに限られない。例えば、場所やカテゴリを指定しないで、金額（Ｍｏｎｅｙ）・距離（Ｄｉｓｔａｎｃｅ）・日付（Ｄａｔｅ）・時間（Ｔｉｍｅ）のみを単独、または組み合わせて検索条件とすることができる。本実施形態ではこのように、電子パンフレットインデックス１３３の各項目を自由に検索キーとすることができる。
最初に、図３８に示す検索用サイトのページの例を参照しながら、検索用サイトの各表示部について説明する。
メニュー選択ボタン表示部３８１０には、検索を行なったり、メニューを選択したりするための各ボタンを表示している。ロゴ等表示部３８１１には、当サイトのロゴを表示しているが、現在の日時（時計など）を表示することもできる。メニューボタン群３８１２において、「Ｍｙ  ｐａｇｅ」ボタンはマイページを別ウィンドウで表示するボタン、「Ｆｏｃｕｓ」ボタンはＦｏｃｕｓによる検索（金額・距離・日付・時間を指定した検索）を行なうための検索条件入力欄を画面に表示するためのボタンである。「Ｓｔａｇｅ」ボタンはデジタルマップに関連する各ボタンや情報を画面に表示するためのボタンである。一方、検索目的・検索方法指定ボタン群３８１３において、「Ａｌｌ」「Ｓｈｏｐｐｉｎｇ」「Ｒｅｓｅｒｖｅ」の各ボタンは検索対象とする電子パンフレットの種類を選択するためのボタンであり、図１１に示したベース・プロパティの「出展カテゴリ」の項目に対応している。利用者は「Ａｌｌ」「Ｓｈｏｐｐｉｎｇ」「Ｒｅｓｅｒｖｅ」から１つを選択（クリック）して、さらに「Ｃａｔｅｇｏｒｙ」「Ｔｉｔｌｅ」「Ｋｅｙｗｏｒｄ」から１つ選択（クリック）する。ここで「Ｃａｔｅｇｏｒｙ」は図１１に示したベース・プロパティの「出展カテゴリ」の、「Ｔｉｔｌｅ」は「出展タイトル」、「Ｋｅｙｗｏｒｄ」は「キーワード（１〜Ｎ）」に対応している。このようにして、利用者は検索方法を指定する。
サブメニュー等表示部３８２０には、「Ｆｏｃｕｓ」ボタンおよび「Ｓｔａｇｅ」ボタンがクリックされた時にその内容（操作ボタンやテキストデータなど）を表示する。図３８では、「Ｓｔａｇｅ」ボタンがクリックされた場合の表示内容を示している。ステージ指定ボタン群３８２１はデジタルマップのステージ１〜９までの各ステージを指定するためのボタンであり、地図情報表示部３８２２は、現在画面に表示されているデジタルマップの場所の情報（面積、人口、住所などの情報）をデジタルマップから読み出して表示する。
カテゴリ選択ボタン表示部３８３０では、クラス１カテゴリ選択ボタン３８３２によりクラス１カテゴリを、クラス２カテゴリ選択ボタン３８３３によりクラス２カテゴリを選択する。また、件数等表示部３８３１には検索対象の電子パンフレットの件数等を表示している。
デジタルマップ操作ボタン等表示部３８４０には、デジタルマップ表示部３８５０へのデジタルマップの表示を操作するボタン群を表示している。「Ｍｏｖｅ」ボタン３８４１は、デジタルマップの移動表示を行なうためのボタンである。「ＵＰ」ボタン３８４２，「ＤＯＷＮ」ボタン３８４３は表示するステージをＵＰ／ＤＯＷＮさせるためのボタンである。なお、デジタルマップ操作の各ボタンについては後で詳しく説明する。
デジタルマップ表示部３８５０は、デジタルマップを表示する表示部である。また、デジタルマップの上に検索結果のコンテンツを点や線で表示したり、検索結果の一覧をハイパーリンクで表示したりする。
詳細検索条件入力欄表示部３８６０には、詳細な検索条件の入力を行なうテキストボックスなどを表示している。「Ｄｉｒｅｃｔ  Ａｃｃｅｓｓ」ボタン３８６１はダイレクトコードによる検索を行なうための入力部を表示するボタン、「Ｓｅａｒｃｈ」ボタン３８６２はその他の詳細条件（住所など）による検索を行なうための入力部を表示するボタンである。「Ａｂｏｕｔ  ９  Ｓｔａｇｅ」ボタン３８６３は当サイトの説明などを画面に表示するためのボタンである。
コンテンツ表示部３８７０には検索結果のコンテンツ（電子パンフレット）の概要を表示する。検索結果の件数は表示操作部３８７１に表示され、矢印のボタンをクリックすることで次の電子パンフレットの概要を参照することができる。概要表示部３８７２には、電子パンフレットの概要を表示している。例えば、電子パンフレットのトップ画面のサムネイルと説明文（図１１に示したベース・プロパティの「メッセージ」の内容）を表示している。「タイトル」等ボタン群３８７３は、その電子パンフレットの内容（例えば営業日時や所在地など）をさらに表示するためのボタンである。
広告表示部３８８０は、スポンサー企業などの広告を表示する表示部である。
なお、図３８は検索用サイトの全ての表示部に情報を表示したものを図示しているが、実際には、例えばトップページ（最初に表示されるページ）においては、カテゴリ選択ボタン表示部３８３０やコンテンツ表示部３８７０にはまだ何も表示されないようにしてもよい。
以降、検索の一例を説明する。
【００７１】
（９−１．利用目的の選択（図３７のＳ３７１０））
本実施形態では、初期状態においては全てのコンテンツ（電子パンフレット）が検索対象となっている。そこで、利用者は上述の図３８に示す検索用サイトのページで「利用目的の選択」を行なう。「利用目的の選択」とは、コンテンツを「Ａｌｌ」「ショッピング」「リザーブ」から選択することであり、検索目的・検索方法指定ボタン群３８１３において、「Ａｌｌ」「Ｓｈｏｐｐｉｎｇ」「Ｒｅｓｅｒｖｅ」の各ボタンから１つ選択してクリックする。サーバはその選択に応じて、電子パンフレットインデックスの出展カテゴリの各項目を読む。「Ａｌｌ」が選択された場合には項目「カテゴリ１〜Ｎ」を、「Ｓｈｏｐｐｉｎｇ」が選択された場合には項目「ショッピングカテゴリ１〜Ｎ」を、「Ｒｅｓｅｒｖｅ」が選択された場合には項目「リザーブカテゴリ１〜Ｎ」を読み、これらの項目にカテゴリの値が入っているものを検索対象とする（図３７のＳ３７１５）。
【００７２】
（９−２．検索方法の選択（図３７のＳ３７２０））
次に利用者は「検索方法の選択」を行なう。「検索方法の選択」とはコンテンツを「カテゴリ」「タイトル」「キーワード」のいずれから検索するかを選択することである。検索目的・検索方法指定ボタン群３８１３において、「Ｃａｔｅｇｏｒｙ」「Ｔｉｔｌｅ」「Ｋｅｙｗｏｒｄ」の各ボタンから１つ選択してクリックする。ここでは「Ｃａｔｅｇｏｒｙ」が選択されたものとする。「Ｃａｔｅｇｏｒｙ」が選択された場合、カテゴリ選択ボタン表示部３８３０にカテゴリを選択するための各ボタンが表示される。なお、「Ｔｉｔｌｅ」または「Ｋｅｙｗｏｒｄ」が選択された場合には、それぞれタイトルまたはキーワードを検索条件として入力する入力欄が表示される。
【００７３】
（９−３．場所の絞り込み（図３７のＳ３７３０））
次に、場所の絞り込みを行なう。場所の絞り込みは、デジタルマップ表示部３８５０に表示されているデジタルマップの表示を、デジタルマップ操作ボタン等表示部３８４０の各ボタンで操作することにより行なう。上述の図３８のデジタルマップ表示部３８５０には、ステージ１（世界）のデジタルマップが表示されている。上述したように、この表示はデジタルマップ・サーバ１１０のデジタルマップ・システム１１２の処理により、デジタルマップ１１１からデジタルマップの各デジタルマップ小片を読み込んで、縦１２×横１２＝１４４ファイルのデジタルマップ小片を並べたものである。
ここで、利用者がブラウザ１５１に表示されているデジタルマップの表示を操作して検索条件の絞込みを行うことができる。操作は次のように行なう。まず、デジタルマップの表示を移動したい場合には「Ｍｏｖｅ」ボタン３８４１を、ステージを上位にしたい場合には「ＵＰ」ボタン３８４２を、ステージを下位にしたい場合には「Ｄｏｗｎ」ボタン３８４３をあらかじめクリックして選択しておく。次に、デジタルマップ表示部３８５０上の任意の位置をクリック（以降「ピック」と呼び、ピックされた箇所を「ピック位置」と呼ぶ）。「Ｍｏｖｅ」ボタン３８４１を選択している場合には、ピック位置のデジタルマップ小片がデジタルマップ表示部３８５０の中心に来るように移動する。「ＵＰ」ボタン３８４２が選択されている場合には、ピック位置のデジタルマップ小片を中心に、対応するひとつ上位のステージのデジタルマップをデジタルマップ表示部３８５０に表示する。また、「Ｄｏｗｎ」ボタン３８４３が選択されている場合には、ピック位置のデジタルマップ小片を中心に、対応するひとつ下位のステージのデジタルマップをデジタルマップ表示部３８５０に表示する。
【００７４】
例えば、図３８にて「Ｄｏｗｎ」ボタン３８４３を選択した状態で日本列島の付近をピックすると、図３９に示すように、ステージ２（アジア付近）のデジタルマップを表示する。図３９にて同様にもう一度日本列島付近をピックすると、図４０に示すように、ステージ３（日本列島）のデジタルマップを表示する。同様に、図４１はステージ８（番地）のデジタルマップを表示した例である。また、場所を絞り込んだ検索結果の電子パンフレットがステージ９（専用マップ）を持っている場合には、図４２に示すようにその専用マップを表示することができる。なお、図３９〜図４２の各図の参照符号は、図３８の参照符号に対応している。
また、上述したように、「Ｓｔａｇｅ」ボタンをクリックすると、現在デジタルマップ表示部３８５０に表示されている場所の情報をサブメニュー等表示部３８２０に表示する。例えば面積や人口、公用語、通貨など、デジタルマップ１１１に格納している情報を表示することができる。
本実施形態においては、上述したようにデジタルマップ１１１の全ての各デジタルマップ小片はフィールドＮｏ．およびサブフィールドＮｏ．によりユニークに識別することができる。さらに、フィールドＮｏ．はその上位の全てのステージのフィールドＮｏ．の値を持っているため、ステージに関わらず同じ位置を対応付けることができる。このため、デジタルマップ・システム１１２によりステージのＵＰ／Ｄｏｗｎ表示ができる。また、サブフィールドＮｏ．を参照すればそのフィールド内での位置（座標）がわかるため、デジタルマップ・システム１１２はピック位置のデジタルマップ小片を中心とした１４４ファイルのデジタルマップ小片をデジタルマップ１１１から読み込んで並べて表示することができる。このため、上下左右への移動表示が可能である。
このようにして、Ｗｅｂアプリケーション１２１は、利用者が選択した場所の位置情報を把握し、検索結果の絞込み（検索用ページの表示範囲への絞込み）を行うことができる（図３７のＳ３７３５）。
【００７５】
（９−４．カテゴリの選択（図３７のＳ３７４０））
次に、利用者はカテゴリを選択する。ここではクラス１カテゴリとクラス２カテゴリを選択する場合を例に説明するが、クラス１カテゴリだけを指定してもよい。
ここでは、図４１に示した例のように、場所を絞り込んだ状態でカテゴリを検索するが、もちろん図３８に示した全世界からカテゴリ検索することもできる。
カテゴリ選択ボタン表示部３８３０には、クラス１カテゴリ選択ボタン３８３２（「０：情報・通信」〜「９：サービス・相談」の各ボタンが表示されている。また、各クラス１カテゴリに属するコンテンツの件数を表示している。これは上述した「利用目的の選択」により絞り込まれたコンテンツのうち、それぞれのカテゴリに属するコンテンツの件数である。Ｗｅｂアプリケーション１２１は、電子パンフレットインデックス１３３の「カテゴリ」１〜Ｎの各項目を参照して、件数をカウントする。さらに上述した場所の絞り込みにより、電子パンフレットインデックス１３３の「位置情報」の各項目を参照してコンテンツを絞り込み（図３７のＳ３７３５）、その件数をカウントしてカテゴリ選択ボタン表示部３８３０に表示する。
利用者がクラス１カテゴリ選択ボタン３８３２のいずれかのカテゴリをクリックすると、そのクラス１カテゴリのクラス２カテゴリ選択ボタン３８３３を表示する。ここではクラス１カテゴリとして「２：観光」が選択されたものとする。そうすると、Ｗｅｂアプリケーション１２１は、上記で絞り込まれたコンテンツのうち、クラス１カテゴリ（ここでは「Ａｌｌ」が選択されているため「カテゴリ」１〜Ｎの各項目）が「２：観光」であるものを選択する（図３７のＳ３７４５）。
クラス１カテゴリが選択されると、「２：観光」ボタンの下部にクラス２カテゴリ選択ボタン３８３３の各ボタンを表示する。なお、「０：観光  ＡＬＬ」は全件である。クラス２カテゴリ選択ボタン３８３３の各ボタンをクリックすると、クラス２カテゴリの絞込みを行なう。本実施形態においては、クラス２カテゴリを複数選択することができる。最初は全件が検索の対象であり、クリックされたボタンが検索の対象外となる。これにより、検索結果を絞り込むことができる。対象外とされたものはボタンの色を薄くして見やすく表示するとよい。
Ｗｅｂアプリケーション１２１は、上述したクラス１カテゴリの選択と同様に、今までに絞りこまれたコンテンツの中から、電子パンフレットインデックスのクラス２カテゴリ（カテゴリ１〜Ｎ）が指定された条件と同じであるコンテンツを検索する。
【００７６】
（９−５．Ｆｏｃｕｓによる絞り込み検索（図３７のＳ３７５０））
コンテンツをさらに絞り込んで検索したい場合、本実施形態では金額（Ｍｏｎｅｙ）、距離（Ｄｉｓｔａｎｃｅ）、日付（Ｄａｔｅ）、時間・時間（ＴｉｍｅおよびＴｅｒｍ）の４つの「フォーカス」による検索条件の指定をすることができる。図４３に示すように、「Ｆｏｃｕｓ」ボタン３８１３をクリックすると、サブメニュー等表示部３８２０に金額条件入力部３８２３，距離条件入力部３８２４，日付条件入力部３８２５，時刻・時間条件入力部３８２６の各条件入力部が表示される。
これらの各条件入力部に入力された検索条件に応じて、Ｗｅｂアプリケーション１２１は、電子パンフレットインデックス１３３の「Ｍｏｎｅｙ」「位置情報」「営業日・休日」および「Ｔｉｍｅ」「Ｔｅｒｍ」の各項目を参照し、検索を行なうことができる（図３７のＳ３７５５）。なお、これらの４つの検索条件はいずれか１つを単独で指定することも、任意に組み合わせて指定することもできる。また、本実施形態においては、上述したようにカテゴリや場所を指定せずに、フォーカスの４つの検索条件のみで検索を行なうことができる。
【００７７】
（１）金額の指定
利用者は、出展者が提供する商品・サービスの価格から検索を行なうことができる。
まず、金額条件入力部３８２３において中央の金額入力部に検索条件としたい金額を入力する。右下のボタンには「Ｏｖｅｒ」の文字が表示されているが、これは金額入力欄に入力された金額以上という条件で検索することを示している。この「Ｏｖｅｒ」ボタンをクリックすると表示が「Ｕｎｄｅｒ」に切り替わり、金額入力欄に入力された金額以内での検索ができる。
検索条件を入力して、左上の「Ｍｏｎｅｙ」ボタンをクリックすると、Ｗｅｂアプリケーション１２１は、電子パンフレットインデックス１３３の項目「Ｍｏｎｅｙ」（１〜Ｎ）を参照して、絞込み検索を行なう。
（２）距離の指定
利用者は、今デジタルマップ表示部の中央に表示されている位置もしくは自分が登録したお気に入りの場所から出展者の位置情報までの距離を指定して検索を行なうことができる。
まず、距離条件入力部３８２４において中央上の拠点入力部に検索の拠点となる位置を入力する。何も指定しなければ拠点は現在デジタルマップ表示部３８５０の中央の位置となるが、利用者が「会員」であれば、自分のお気に入りの位置を選択することができる。次に、中央下の距離入力部に検索条件としたい距離を入力する。右下のボタンには「Ｉｎｓｉｄｅ」の文字が表示されているが、これは距離入力欄に入力された距離以内の場所という条件で検索することを示している。この「Ｉｎｓｉｄｅ」ボタンをクリックすると表示が「Ｏｕｔｓｉｄｅ」に切り替わり、距離入力欄に入力された距離以上という条件での検索ができる。
検索条件を入力して、左上の「Ｄｉｓｔａｎｃｅ」ボタンをクリックすると、Ｗｅｂアプリケーション１２１は、電子パンフレットインデックス１３３「位置情報」の項目を参照して、距離を算出し、絞込み検索を行なう。
【００７８】
（３）日付の指定
利用者は、出展者の営業日・休日等の日付およびサービス・プロパティの日付項目から検索を行なうことができる。
まず、日付条件入力部３８２５において中央のカレンダー型の日付入力部上で検索条件としたい日付を入力する。右下のボタンには「Ｖａｃａｎｔ」の文字が表示されているが、これは日付入力部に入力した日がサービス提供可能な日（例えば、宿泊施設の空き部屋がある日）であるコンテンツを検索することを示している。この「Ｖａｃａｎｔ」ボタンをクリックすると、その他、「営業日」「休日」などの条件での検索ができる。
検索条件を入力して、左上の「Ｄａｔｅ」ボタンをクリックすると、Ｗｅｂアプリケーション１２１は、電子パンフレットインデックス１３３の項目「Ｄａｔｅ」（１〜Ｎ）を参照して、絞込み検索を行なう。
（４）時刻・時間の指定
利用者は、出展者の営業時間等から検索を行なうことができる。
まず、時刻・時間条件入力部３８２６において中央の時計型の時刻・時間入力部に検索条件としたい時刻または時間帯を入力する。右下のボタンには「Ｏｐｅｎ」の文字が表示されているが、これは時刻・時間入力欄に入力された時刻・時間が営業時間内であるいう条件で検索することを示している。この「Ｏｐｅｎ」ボタンをクリックすると、その他の条件での検索ができる。
検索条件を入力して、左上の「Ｔｉｍｅ」ボタンをクリックすると、Ｗｅｂアプリケーション１２１は、電子パンフレットインデックス１３３の項目「Ｔｉｍｅ」（１〜Ｎ）および「Ｔｅｒｍ」（１〜Ｎ）から必要に応じて参照して、絞込み検索を行なう。
なお、利用者が上記（３）（４）で日付または時間・時刻のフォーカスの指定を行なわない場合には、上述の図４９で説明したフォーカス設定画面における設定（出展者が行なうデフォルトの設定）に従って検索される。
【００７９】
（９−６．詳細検索条件の指定）
本実施形態では、上記の他、ダイレクトコードや住所などによる検索を行うこともできる。これらの詳細検索条件の指定は、詳細検索条件入力欄表示部３８６０への入力で行なう。以降、この詳細検索条件の一例を説明する。
（１）ダイレクトコードによる検索
図３８に示したように、詳細検索条件入力欄表示部３８６０には「Ｄｉｒｅｃｔ  Ａｃｃｅｓｓ」ボタン３８６１を表示しており、このボタンをクリックすると、その下に「Ｃｏｄｅ」入力欄が表示される。「Ｃｏｄｅ」入力欄にダイレクトコード（本実施形態では、例えば４桁の数字である）を入力して「Ｇｏ」ボタンをクリックすると、Ｗｅｂアプリケーション１２１は、電子パンフレットインデックス１３３の項目「ダイレクトコード」を参照して、検索を行なう。
このダイレクトコードによる検索は、利用者が閲覧したいコンテンツのダイレクトコードを知っている場合に、検索の手間を大幅に削減することができる。
（２）詳細検索条件による検索
また、「Ｓｅａｒｃｈ」ボタン３８６２をクリックすると、さらに詳細な検索を行なうことができる。本実施形態では、図４４に示すように「Ｔｉｔｌｅ」「Ｔｅｌ」「Ａｄｄｒｅｓｓ」「Ｚｉｐ  Ｃｏｄｅ」の各検索条件のボタンを用意しており、それぞれ、タイトル、電話番号、住所、郵便番号による検索ができる。これらの項目は、すべて、電子パンフレットインデックス１３３に格納されている項目である。
「Ａｄｄｒｅｓｓ」（住所）による検索の例を図４５に示す。詳細検索条件入力欄表示部３８６０にて、「Ａｄｄｒｅｓｓ」ボタンをクリックすると、コンテンツ表示部３８７０に住所入力欄を表示する。ここで住所を入力することができる。住所を入力して詳細検索条件入力欄表示部３８６０の「リスト」ボタンをクリックすると、Ｗｅｂアプリケーション１２１は、電子パンフレットインデックス１３３の項目「住所」を参照して検索を行なう。
【００８０】
（９−７．目的の電子パンフレットを表示）
上述の図３８のトップページで説明したように、検索結果の一覧はデジタルマップ表示部３８５０に例えばハイパーリンクで表示される。すなわち、コンテンツのタイトルやカテゴリ・住所などのテキストが表示され、所望のコンテンツをクリックすると、その電子パンフレットを参照することができる。また、コンテンツ表示部３８７０には、上述したように検索結果のコンテンツの説明（電子パンフレットインデックスの項目「メッセージ」の内容）やそのコンテンツの電子パンフレットを表示するハイパーリンクであるサムネイル画像３８７１を表示しているため、利用者がサムネイル画像３８７１をクリックことにより、対応する電子パンフレットを参照することができる。
なお、上述したように、電子パンフレットと電子パンフレットインデックスとは、電子パンフレットインデックス１３３の「電子パンフレットファイル名」により対応付けられている。
【００８１】
＜１０．マイページ＞
上述の（７−５．利用者端末での利用）で説明したように、利用者（本実施形態では「会員」である利用者とする）は、利用履歴データベース１３４に格納されている自分の利用履歴（予約・注文などの履歴やお気に入りの電子パンフレット、位置情報など）を利用者端末１５０で閲覧することができる。利用履歴の一覧を表示したページを「マイページ」と呼ぶ。
検索用サイトからマイページを表示するには、図３８等に示した検索用サイトの「ＭｙＰａｇｅ」ボタンをクリックする。本実施形態においては「会員」にマイページの閲覧の権利が与えられているため、ここで利用者に会員ＩＤとパスワードの入力を求め、会員の認証を行なう。認証に成功すると、Ｗｅｂアプリケーション１２１は、利用履歴データベース１３４からその会員（利用者）の会員ＩＤをもつ利用履歴を読み込んで、その一覧を表示したマイページを生成し、利用者端末に送信する。
【００８２】
マイページの例を図４６に示す。図４６において、利用履歴一覧表示部４６４０には、各利用履歴が、例えばサムネイル画像などの見やすい形式で表示される。このサムネイルをクリックすると、対応する予約・注文の履歴や電子パンフレット等を閲覧することができる。
ボタン群４６１０は、利用履歴を整理したり利用したりするためのボタン群である。例えば利用履歴を整理したい場合には、「フォルダの作成」「フォルダへ移動」「名前の変更」「削除」の各ボタンにより、利用履歴をフォルダ形式に整理したり、各利用履歴にタイトルを付けたり、利用履歴データベース１３４から削除したりすることができる。整理された利用履歴のタイトルは、タイトル一覧表示部４６２０に表示され、ここでタイトルをクリックして利用履歴を選択することができる。各利用履歴の詳細は詳細表示部４６３０に表示される。
また、利用履歴を選択して「友達に紹介する」ボタンをクリックすると、Ｗｅｂアプリケーション１２１は、その利用履歴を利用者が指定した他の利用者端末（例えば利用者の友達の端末）に送信する。また、利用履歴を選択して「携帯へ送信する」ボタンをクリックすると、Ｗｅｂアプリケーション１２１は、その利用履歴や、利用履歴に対応する電子パンフレット等から、サムネイル画像やテキストファイルなど携帯電話に表示できるデータを生成して、利用者が指定した携帯電話（例えば利用者の携帯電話）に送信する。
上述のマイページの機能により、利用者は再度の検索を行なうことなく、自分の利用履歴（予約・注文などの履歴やお気に入りの電子パンフレット、位置情報など）を閲覧することができ、携帯電話で利用履歴を閲覧することもできる。
【００８３】
また、本実施形態のマイページには、同一利用者から同一の電子パンフレットに対して一定期間に一定回数のアクセスがあった場合に、自動的に利用履歴として利用履歴データベース１３４に格納されるようにする機能を用意している。この機能を利用するかどうか、および自動的に利用履歴データベース１３４に格納されるための条件は、利用者が各自で決めることができる。条件を設定するための利用履歴登録条件設定画面を図４７に示す。
図４７の利用履歴登録条件設定画面において、「アクセス回数」設定欄４７１０，「アクセス期間」設定欄４７２０にアクセス回数とアクセス期間を入力する。ここで、例えば「アクセス回数」を「３回」、アクセス期間を「１週間」に設定すると、同一の電子パンフレットに対して過去１週間に３回アクセスがあった場合、その電子パンフレットは自動的に利用履歴データベース１３４に格納される。これにより、次回からは利用者はその電子パンフレットをマイページから閲覧することができ、検索は不要である。
さらに、本実施形態のマイページに、電子パンフレットへのハイパーリンク（名称のテキストやサムネイル画像）とともに、電子パンフレットの最終更新日時と利用者端末からの最終アクセス日時を表示するようにしてもよい。この機能を実現するためには、電子パンフレットインデックス１３３に電子パンフレットの最終更新日時を格納する項目を用意し、出展者端末から電子パンフレットデータがアップロードされる度に、電子パンフレットインデックス１３３の最終更新日時を更新するようにする。また、最終アクセス日時は利用履歴データベース１３４に格納し、利用者端末からその電子パンフレットの閲覧要求がある度に更新する。マイページへの最新情報（最新の最終更新日時および最終アクセス日時）の表示は、例えば、利用者がマイページにアクセスする度に、電子パンフレットインデックス１３３および利用履歴データベース１３４から読み込んで表示する。
マイページに電子パンフレットの最終更新日と最終アクセス日を表示した例を図４８に示す。図４８において、「お気に入り」欄４８１０には電子パンフレットの名称の一覧を表示している。名称の部分が、電子パンフレットへのハイパーリンクになっている。最終更新日４８２０はその電子パンフレットの最終更新日であり、電子パンフレットインデックス１３３から読み出して表示する。最終アクセス日４８３０はその利用者の利用者端末から電子パンフレットへの最終アクセス日であり、利用履歴データベース１３４から読み出して表示する。「カテゴリー」４８４０は、その電子パンフレットが「Ｓｈｏｐｐｉｎｇ」「Ｒｅｓｅｒｖｅ」「Ａｌｌ」のいずれに属するかを、電子パンフレットインデックス１３３から読み出して表示する。
このように電子パンフレットの最終更新日時および最終アクセス日時を自動的に表示することにより、利用者は、お気に入りの電子パンフレットが、自分が最後に閲覧した後に更新されているかどうかを容易に確認することができる。
【図面の簡単な説明】
【００８４】
【図１】本実施形態の情報共有システムの全体構成を示す図である。
【図２】デジタル地図の各階層の生成単位を示す表である。
【図３】デジタル地図の画面への表示例を示す表である。
【図４】クラス１カテゴリの構成例である。
【図５】クラス２カテゴリの構成例である。
【図６】名称変換テーブルの例である。
【図７】マルチランゲージ・テーブルの例である。
【図８】ポイント・コンテンツのベース・プロパティの項目を示した表である。
【図９】ライン・コンテンツのベース・プロパティの項目（位置情報）を示した表である。
【図１０】エリア・コンテンツのベース・プロパティの項目（位置情報）を示した表である。
【図１１】サービス・プロパティの項目の例を示した表である。
【図１２】それぞれ、（ａ）会員マスタ、（ｂ）顧客マスタ、（ｃ）出展者マスタ、（ｄ）商品マスタの主な項目を示した表である。
【図１３】取引履歴トランザクションの主な項目を示した表である。
【図１４】利用履歴データベースの主な項目を示した表である。
【図１５】顧客情報データベースの主な項目を示した表である。
【図１６】取引履歴データベースの主な項目を示した表である。
【図１７】アップローダーの構成を示す図である。
【図１８】アップローダーのメニュー画面の例である。
【図１９】アップローダーの電子パンフレット作成画面の例である。
【図２０】アップローダーの電子パンフレット作成画面の例である。
【図２１】電子パンフレットのトップ画面の例である。
【図２２】電子パンフレットの交通案内画面の例である。
【図２３】電子パンフレットのサービス紹介画面の例である。
【図２４】電子パンフレットの予約画面の例である。
【図２５】電子パンフレットの予約画面の例である。
【図２６】電子パンフレットの予約画面の例である。
【図２７】電子パンフレットの予約確認画面の例である。
【図２８】アップローダーの基本データ登録画面の例である。
【図２９】アップローダーの商品・サービス登録画面の例である。
【図３０】アップローダーの販売計画作成画面の例である。
【図３１】アップローダーの在庫登録画面の例である。
【図３２】アップローダーのプランニング作成画面の例である。
【図３３】アップローダーの販売・予約管理画面の例である。
【図３４】アップローダーのメッセージ送受信画面の例である。
【図３５】アップローダーの顧客情報管理画面の例である。
【図３６】アップローダーの位置情報登録画面の例である。
【図３７】検索用サイトにおける検索処理の流れの一例を示したフローチャートである。
【図３８】検索用サイトのページの表示例である。
【図３９】検索用サイトにおける場所の絞込み（ステージ２）の例である。
【図４０】検索用サイトにおける場所の絞込み（ステージ３）の例である。
【図４１】検索用サイトにおける場所の絞込み（ステージ８）の例である。
【図４２】検索用サイトにおける専用マップの表示（ステージ９）の例である。
【図４３】検索用サイトにてフォーカスを指定して検索する場合の表示例である。
【図４４】検索用サイトにて詳細検索をする場合の表示例である。
【図４５】検索用サイトにて詳細検索（住所による検索）をする場合の表示例である。
【図４６】マイページの例である。
【図４７】マイページへの自動登録を指定する画面の例である。
【図４８】マイページに最終更新日、最終アクセス日を表示した例である。
【図４９】アップローダーのフォーカス設定画面の例である。
【図５０】デジタルマップへのアクセスランキングの表示例である。
【図５１】アップローダーの電子パンフレット自動再生の設定画面の例である・
【図５２】電子パンフレットに表示速度を調節するコントローラを表示した例である。
【図１】
2005293276.tif 000003
【図２】
2005293276.tif 000004
【図３】
2005293276.tif 000005
【図４】
2005293276.tif 000006
【図５】
2005293276.tif 000007
【図６】
2005293276.tif 000008
【図７】
2005293276.tif 000009
【図８】
2005293276.tif 000010
【図９】
2005293276.tif 000011
【図１０】
2005293276.tif 000012
【図１１】
2005293276.tif 000013
【図１２】
2005293276.tif 000014
【図１３】
2005293276.tif 000015
【図１４】
2005293276.tif 000016
【図１５】
2005293276.tif 000017
【図１６】
2005293276.tif 000018
【図１７】
2005293276.tif 000019
【図１８】
2005293276.tif 000020
【図１９】
2005293276.tif 000021
【図２０】
2005293276.tif 000022
【図２１】
2005293276.tif 000023
【図２２】
2005293276.tif 000024
【図２３】
2005293276.tif 000025
【図２４】
2005293276.tif 000026
【図２５】
2005293276.tif 000027
【図２６】
2005293276.tif 000028
【図２７】
2005293276.tif 000029
【図２８】
2005293276.tif 000030
【図２９】
2005293276.tif 000031
【図３０】
2005293276.tif 000032
【図３１】
2005293276.tif 000033
【図３２】
2005293276.tif 000034
【図３３】
2005293276.tif 000035
【図３４】
2005293276.tif 000036
【図３５】
2005293276.tif 000037
【図３６】
2005293276.tif 000038
【図３７】
2005293276.tif 000039
【図３８】
2005293276.tif 000040
【図３９】
2005293276.tif 000041
【図４０】
2005293276.tif 000042
【図４１】
2005293276.tif 000043
【図４２】
2005293276.tif 000044
【図４３】
2005293276.tif 000045
【図４４】
2005293276.tif 000046
【図４５】
2005293276.tif 000047
【図４６】
2005293276.tif 000048
【図４７】
2005293276.tif 000049
【図４８】
2005293276.tif 000050
【図４９】
2005293276.tif 000051
【図５０】
2005293276.tif 000052
【図５１】
2005293276.tif 000053
【図５２】
2005293276.tif 000054